(57)【要約】メディアの記録コンテンツ対応の再生許容年齢情報を記録して、再生時に年齢に基づく再生制御を行うことを可能とした構成を実現する。ＭＰＥＧ−２ＴＳフォーマットデータ、またはＭＭＴフォーマットデータを含む入力データから取得した再生対象コンテンツを格納したクリップＡＶストリームファイルと、入力データから取得したコンテンツ対応の再生許容年齢情報を、プレイリストファイル、クリップ情報ファイル、あるいは利用制御情報ファイル等に格納してメディアに記録する。再生装置は、再生対象コンテンツに対応する再生許容年齢情報をプレイリストファイル等から読み取り、ユーザの年齢情報との比較を行い、コンテンツの再生制御を行うことが可能となる。
2018221292.tif 000002
【特許請求の範囲】
【請求項１】
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部は、
コンテンツを格納したクリップＡＶストリームファイルと、
前記入力データから取得したコンテンツ対応の再生許容年齢情報を、前記情報記録媒体に記録する情報処理装置。
【請求項２】
前記データ処理部は、
前記再生許容年齢情報を、プレイリストファイル、またはクリップ情報ファイルの少なくともいずれかに記録する請求項１に記載の情報処理装置。
【請求項３】
前記データ処理部は、
前記再生許容年齢情報を、利用制御情報ファイル、または前記クリップＡＶストリームファイルの格納パケットのパケットヘッダの少なくともいずれかに記録する請求項１に記載の情報処理装置。
【請求項４】
前記データ処理部は、
プレイリストファイルの再生制御対象コンテンツ中、最も再生許容年齢の高いコンテンツに対応する再生許容年齢情報を選択してプレイリストファイルに記録する請求項１に記載の情報処理装置。
【請求項５】
前記データ処理部は、
前記再生許容年齢情報の有効化、無効化を設定可能としたフラグを前記情報記録媒体に記録する請求項１に記載の情報処理装置。
【請求項６】
前記データ処理部は、
前記再生許容年齢情報の有効化、無効化を設定可能としたフラグを、プレイリストファイルに記録する請求項１に記載の情報処理装置。
【請求項７】
前記データ処理部は、
前記再生許容年齢情報の有効化、無効化を設定可能としたフラグを前記情報記録媒体に記録するとともに、
前記フラグの設定の変更を許可するか否かの判定処理に適用する登録パスコードを前記情報記録媒体に記録する請求項１に記載の情報処理装置。
【請求項８】
前記データ処理部は、
前記登録パスコードをＢＤＡＶフォーマット、またはＳＰＡＶフォーマットに規定される管理情報ファイルに記録する請求項７に記載の情報処理装置。
【請求項９】
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部は、
前記情報記録媒体から、コンテンツに対応する再生許容年齢情報を取得し、取得情報に基づくコンテンツ再生制御を実行する情報処理装置。
【請求項１０】
前記データ処理部は、
前記情報記録媒体から取得した前記再生許容年齢情報と、予め情報処理装置内のメモリに格納されたユーザ年齢情報を比較して、コンテンツの再生を許容するか否かを決定する請求項９に記載の情報処理装置。
【請求項１１】
前記データ処理部は、
前記再生許容年齢情報を、プレイリストファイル、またはクリップ情報ファイルの少なくともいずれかから取得する請求項９に記載の情報処理装置。
【請求項１２】
前記データ処理部は、
前記再生許容年齢情報を、プレイリストファイルから取得し、取得した再生許容年齢情報を含むコンテンツリストを表示部に出力する請求項９に記載の情報処理装置。
【請求項１３】
前記データ処理部は、
前記再生許容年齢情報を、利用制御情報ファイル、または前記クリップＡＶストリームファイルの格納パケットのパケットヘッダの少なくともいずれかから取得する請求項９に記載の情報処理装置。
【請求項１４】
前記データ処理部は、
前記利用制御情報ファイル、または前記パケットヘッダの少なくともいずれかを適用して再生対象となる暗号化コンテンツの復号処理に適用する暗号鍵を生成する請求項１３に記載の情報処理装置。
【請求項１５】
前記情報記録媒体は、記録データとして、
前記再生許容年齢情報の有効化、無効化を設定可能としたフラグを有し。
前記データ処理部は、
ユーザにより入力されたパスコードと、登録済みパスコードとの照合処理を実行し、照合成立を条件として、前記フラグの設定の変更処理を許可する請求項９に記載の情報処理装置。
【請求項１６】
ＢＤＡＶフォーマット、またはＳＰＡＶフォーマットに従った記録データを有する情報記録媒体であり、
コンテンツを格納したクリップＡＶストリームファイルと、
前記コンテンツの再生許容年齢情報を記録データとして有し、
再生装置が、前記情報記録媒体から、再生対象コンテンツに対応する再生許容年齢情報を取得し、取得情報に基づくコンテンツ再生制御を実行することを可能とした情報記録媒体。
【請求項１７】
情報処理装置において実行する情報処理方法であり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部が、
コンテンツを格納したクリップＡＶストリームファイルと、
前記入力データから取得したコンテンツ対応の再生許容年齢情報を、前記情報記録媒体に記録する情報処理方法。
【請求項１８】
情報処理装置において実行する情報処理方法であり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部が、
前記情報記録媒体から、コンテンツに対応する再生許容年齢情報を取得し、取得情報に基づくコンテンツ再生制御を実行する情報処理方法。
【請求項１９】
情報処理装置において実行する情報処理を実行させるプログラムであり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
コンテンツを格納したクリップＡＶストリームファイルと、
前記入力データから取得したコンテンツ対応の再生許容年齢情報を、前記情報記録媒体に記録させるプログラム。
【請求項２０】
情報処理装置において実行する情報処理を実行させるプログラムであり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記プログラムは、前記データ処理部に、
前記情報記録媒体から、コンテンツに対応する再生許容年齢情報を取得させ、取得情報に基づくコンテンツ再生制御を実行させるプログラム。
【発明の詳細な説明】
【技術分野】
【０００１】
本開示は、情報処理装置、情報記録媒体、および情報処理方法、並びにプログラムに関する。さらに詳細には、放送波等における今後のデータ伝送規格として規格化が進められているＭＭＴ（ＭＰＥＧ  Ｍｅｄｉａ  Ｔｒａｎｓｐｏｒｔ）フォーマットデータを入力して、メディアに記録し、再生する構成において、予め規定された再生制限情報を適用した再生制御を可能とする情報処理装置、情報記録媒体、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。【０００５】
なお、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとしては、ＭＰＥＧ−２ＴＳフォーマットが多く利用されている。
また、このＭＰＥＧ−２ＴＳフォーマット対応の記録再生アプリケーション規格（フォーマット）としてＢＤＭＶやＢＤＡＶ規格（フォーマット）が広く利用されている。【０００６】
なお、ＢＤＭＶやＢＤＡＶは、主にＢＤ（Ｂｌｕ−ｒａｙ（登録商標）  Ｄｉｓｃ）を利用したデータ記録再生のアプリケーション規格であるが、これらの規格はＢＤに限らず、フラッシュメモリやＨＤなど、その他のＢＤ以外のメディアを利用したデータ記録再生にも適用可能である。
ＢＤを利用したデータ記録再生処理構成については、例えば特許文献１（特開２０１１−０２３０７１号公報）等に記載がある。【０００７】
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。【０００８】
上述のＭＭＴフォーマットに従った配信コンテンツを、情報記録媒体（メディア）に記録し、メディアからのコンテンツ再生処理をＢＤＡＶフォーマット対応の再生アプリケーションを利用して行なうためには、このＢＤＡＶフォーマットに従ってデータ記録を行うことが必要である。【０００９】
現在、ＢＤＡＶフォーマットを拡張し、ＭＭＴフォーマットデータを記録、再生可能とするための構成について議論が進められている。
例えば、放送局等が送信するＭＭＴフォーマットに従った配信データをテレビ等の情報処理装置が受信し、受信データをＢＤやフラッシュメモリ、あるいはＨＤＤ（ハードディスク）等の記録メディアに記録する場合、画像、音声、字幕データや、一部の制御情報（ＳＩ）等のデータについては、ＢＤＡＶフォーマットにおいて規定されるクリップＡＶストリームファイルとして記録することになる。【００１０】
現在、このクリップＡＶストリームファイルの記録態様として、様々な案について議論されている。
例えば、ＭＭＴフォーマットに従った画像、音声、字幕データを、従来から利用されているフォーマットであるＭＰＥＧ−２ＴＳフォーマットに変換して記録するのが一つの案である。【００１１】
さらに、ＭＭＴフォーマットに従ったデータを格納したパケットのパケット列をそのままクリップＡＶストリームファイルに格納してメディアに記録するという案についても検討されている。、
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列をメディアに記録する設定である。【００１２】
ＭＭＴＰパケットやＴＬＶパケットには、再生データである画像、音声、字幕、さらに、様々な管理情報からなる制御情報（ＳＩ：Ｓｉｇｎａｌｉｎｇ  Ｉｎｆｏｒｍａｔｉｏｎ）等が格納されている。【００１３】
上述のように、画像、音声、字幕データ等の再生対象データについては、ＭＰＥＧ−２ＴＳフォーマット、あるいは、ＭＭＴＰパケットやＴＬＶパケットのパケット列からなるクリップＡＶストリームファイルを生成して記録する設定となるが、いずれの場合でも、このクリップＡＶストリームファイル内の画像、音声等の再生対象データは、ＢＤＡＶフォーマット対応の再生アプリケーションを利用して行なうことになる。【００１４】
ＢＤＡＶフォーマットは、再生制御情報ファイルとして、プレイリストファイルやクリップ情報ファイル等のデータベースファイルを規定しており、ＢＤＡＶ対応再生アプリケーションはこれらの再生制御情報ファイル（データベースファイル）を参照してデータ再生処理を実行する。【００１５】
しかし、ＭＭＴフォーマットに従って配信されるデータには、このＢＤＡＶフォーマットで規定するプレイリストファイルやクリップ情報ファイルが含まれていない。
従って、このＭＭＴフォーマットデータをメディアに記録して、ＢＤＡＶフォーマット対応アプリを利用してコンテンツ再生を行うためには、ＢＤＡＶフォーマットの規定するプレイリストファイルやクリップ情報ファイルを生成してメディアに記録する処理が必要となる。
しかし、この処理については、現時点で具体化されていないというのが現状である。
【先行技術文献】
【特許文献】
【００１６】
【特許文献１】特開２０１１−０２３０７１号公報
【発明の概要】
【発明が解決しようとする課題】
【００１７】
本開示は、例えば、上記の問題点に鑑みてなされたものであり、ＭＭＴフォーマットに従った配信データを入力して、ＢＤＡＶフォーマットに規定されたデータベースファイルを生成してメディアに記録して、これらのデータベースファイルを利用してメディア記録コンテンツを再生可能とする情報処理装置、情報記録媒体、および情報処理方法、並びにプログラムを提供することを目的とする。【００１８】
本開示の一実施例においては、例えば放送波によって送信されるＭＭＴフォーマットデータに設定された再生制御情報、例えば年齢に応じた再生制限情報であるパレンタル（Ｐａｒｅｎｔａｌ）情報をメディア記録コンテンツの再生時にも適用して再生制限を行うことを可能とした情報処理装置、情報記録媒体、および情報処理方法、並びにプログラムに関する。
【課題を解決するための手段】
【００１９】
本開示の第１の側面は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部は、
コンテンツを格納したクリップＡＶストリームファイルと、
前記入力データから取得したコンテンツ対応の再生許容年齢情報を、前記情報記録媒体に記録する情報処理装置にある。【００２０】
さらに、本開示の第２の側面は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部は、
前記情報記録媒体から、コンテンツに対応する再生許容年齢情報を取得し、取得情報に基づくコンテンツ再生制御を実行する情報処理装置にある。【００２１】
さらに、本開示の第３の側面は、
ＢＤＡＶフォーマット、またはＳＰＡＶフォーマットに従った記録データを有する情報記録媒体であり、
再生対象コンテンツを格納したクリップＡＶストリームファイルと、
前記再生対象コンテンツの再生許容年齢情報を記録した再生許容年齢情報記録データを記録データとして有し、
再生装置が、前記情報記録媒体から、再生対象コンテンツに対応する再生許容年齢情報を取得し、取得情報に基づくコンテンツ再生制御を実行することを可能とした情報記録媒体にある。【００２２】
さらに、本開示の第４の側面は、
情報処理装置において実行する情報処理方法であり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部が、
コンテンツを格納したクリップＡＶストリームファイルと、
前記入力データから取得したコンテンツ対応の再生許容年齢情報を、前記情報記録媒体に記録する情報処理方法にある。【００２３】
さらに、本開示の第５の側面は、
情報処理装置において実行する情報処理方法であり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部が、
前記情報記録媒体から、コンテンツに対応する再生許容年齢情報を取得し、取得情報に基づくコンテンツ再生制御を実行する情報処理方法にある。【００２４】
さらに、本開示の第６の側面は、
情報処理装置において実行する情報処理を実行させるプログラムであり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
コンテンツを格納したクリップＡＶストリームファイルと、
前記入力データから取得したコンテンツ対応の再生許容年齢情報を、前記情報記録媒体に記録させるプログラムにある。【００２５】
さらに、本開示の第７の側面は、
情報処理装置において実行する情報処理を実行させるプログラムであり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記プログラムは、前記データ処理部に、
前記情報記録媒体から、コンテンツに対応する再生許容年齢情報を取得させ、取得情報に基づくコンテンツ再生制御を実行させるプログラムにある。【００２６】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２７】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２８】
本開示の一実施例の構成によれば、メディアの記録コンテンツ対応の再生許容年齢情報を記録して、再生時に年齢に基づく再生制御を行うことを可能とした構成が実現される。
具体的には、例えば、ＭＰＥＧ−２ＴＳフォーマットデータ、またはＭＭＴフォーマットデータを含む入力データから取得した再生対象コンテンツを格納したクリップＡＶストリームファイルと、入力データから取得したコンテンツ対応の再生許容年齢情報を、プレイリストファイル、クリップ情報ファイル、あるいは利用制御情報ファイル等に格納してメディアに記録する。再生装置は、再生対象コンテンツに対応する再生許容年齢情報をプレイリストファイル等から読み取り、ユーザの年齢情報との比較を行い、コンテンツの再生制御を行うことが可能となる。
本構成により、メディアの記録コンテンツ対応の再生許容年齢情報を記録して、再生時に年齢に基づく再生制御を行うことを可能とした構成が実現される。
なお、本明細書に記載された効果はあくまで例示であって限定されるものではなく、また付加的な効果があってもよい。
【図面の簡単な説明】
【００２９】
【図１】本開示の処理を実行する情報処理装置の利用構成例について説明する図である。
【図２】ＭＭＴフォーマットについて説明する図である。
【図３】ＭＭＴフォーマットに従った画像データ格納構成例について説明する図である。
【図４】ＢＤＡＶフォーマットについて説明する図である。
【図５】ＢＤＡＶフォーマットに従ったデータ再生処理例について説明する図である。
【図６】ＭＰＥＧ−２ＴＳフォーマットについて説明する図である。
【図７】ＭＭＴフォーマットについて説明する図である。
【図８】ＳＰＡＶフォーマットについて説明する図である。
【図９】放送局等からの受信データをＭＭＴフォーマットデータであるＭＭＴＰパケット列として、情報記録媒体（メディア）に記録する処理例について説明する図である。
【図１０】放送局等からの受信データをＭＭＴフォーマットデータであるＭＭＴＰパケットを格納したＴＬＶパケット列として、情報記録媒体（メディア）に記録する処理例について説明する図である。
【図１１】ＭＭＴフォーマットデータを、ＢＤＡＶフォーマットデータとして記録する場合の処理例について説明する図である。
【図１２】ＭＰＥＧ−２ＴＳフォーマットにおける「パレンタル（Ｐａｒｅｎｔａｌ）情報」の記録例について説明する図である。
【図１３】ＭＰＥＧ−２ＴＳフォーマットにおける「パレンタル（Ｐａｒｅｎｔａｌ）情報」の記録例について説明する図である。
【図１４】ＭＭＴフォーマットにおける「パレンタル（Ｐａｒｅｎｔａｌ）情報」の記録例について説明する図である。
【図１５】ＭＭＴフォーマットにおける「パレンタル（Ｐａｒｅｎｔａｌ）情報」の記録例について説明する図である。
【図１６】１つのプレイリストファイルによって再生可能なコンテンツの一覧データであるコンテンツリスト（録画番組リスト）の例を示す図である。
【図１７】クリップ情報ファイルのデータ構成（シンタクス）を示す図である。
【図１８】クリップ情報ファイルのクリップ情報［ＣｌｉｐＩｎｆｏ（）］のデータ構成（シンタクス）を示す図である。
【図１９】クリップ情報ファイルのクリップ情報［ＣｌｉｐＩｎｆｏ（）］のリザーブ領域（８ビット）をパレンタルレート（Ｒａｔｉｎｇ）情報の記録領域として設定した例について説明する図である。
【図２０】パレンタル（Ｐａｒｅｎｔａｌ）情報を記録したクリップ情報ファイルのデータ構成（シンタクス）を示す図である。
【図２１】クリップ情報ファイルに記録するパレンタル情報［ＰａｒｅｎｔａｌＩｎｆｏ（）］の具体的なデータ構成（シンタクス）について説明する図である。
【図２２】プレイリストファイルのデータ構成（シンタクス）について説明する図である。
【図２３】ユーザインタフェースアプリケーション情報［ＵＩＡｐｐＩｎｆｏＰｌａｙＬｉｓｔ］のデータ構成（シンタクス）を示す図である。
【図２４】ユーザインタフェースアプリケーション情報［ＵＩＡｐｐＩｎｆｏＰｌａｙＬｉｓｔ］に記録するパレンタルレート（Ｒａｔｉｎｇ）情報の詳細を説明する図である。
【図２５】１つのプレイリストファイルに記録された複数のプレイアイテム対応のコンテンツの再生制限設定例について説明する図である。
【図２６】パレンタル情報が記録されたプレイリストファイルを参照してテレビ等の再生装置の表示部に表示可能となるコンテンツリスト（録画番組リスト）の例について説明する図である。
【図２７】プレイリストファイルに対する新たな記録情報領域として、パレンタル情報記録領域を追加する設定とした例を示す図である。
【図２８】プレイリストファイルに記録するパレンタル情報［ＰａｒｅｎｔａｌＩｎｆｏ（）］の具体的なデータ構成（シンタクス）について説明する図である。
【図２９】プレイリストファイルのユーザインタフェースアプリケーション情報［ＵＩＡｐｐＩｎｆｏＰｌａｙＬｉｓｔ］のデータ構成（シンタクス）を示す図である。
【図３０】コンテンツを記録したメディア内にパスコードを記録する構成とした場合のパスコード記録位置の例について説明する図である。
【図３１】コンテンツを記録したメディア内にパスコードを記録する構成とした場合のパスコード記録位置の例について説明する図である。
【図３２】利用制御情報ファイルにパレンタル（Ｐａｒｅｎｔａｌ）情報を記録してメディアに記録する例について説明する図である。
【図３３】利用制御情報ファイルの記録データの例について説明する図である。
【図３４】利用制御情報ファイルの記録データであるパレンタルレート（Ｒａｔｉｎｇ）の具体例について説明する図である。
【図３５】メディアに記録するクリップＡＶストリームファイル内のパケット列がＴＬＶパケット列である場合の追加ヘッダの設定例について説明する図である。
【図３６】メディアに記録するクリップＡＶストリームファイルの構成データを、ＭＭＴＰパケット列とした場合の追加ヘッダの設定例について説明する図である。
【図３７】図３５に示すＴＬＶパケット追加ヘッダの記録データのデータ構成（Ｓｙｎｔａｘ）例を示す図である。利用制御情報ファイルの記録データの例について説明する図である。
【図３８】図３６に示すＭＭＴＰパケット追加ヘッダの記録データのデータ構成（Ｓｙｎｔａｘ）例を示す図である。
【図３９】図３７、図３８に示すＴＬＶパケット追加ヘッダ、ＭＭＴＰパケット追加ヘッダに記録されるパレンタルレート（ｒａｔｉｎｇ）の具体的な記録例と意味について説明する図である。
【図４０】ＴＬＶパケット列を情報記録媒体（メディア）に記録する場合の暗号化処理例について説明する図である。
【図４１】ＭＭＴＰパケット列を情報記録媒体（メディア）に記録する場合の暗号化処理例について説明する図である。
【図４２】情報記録媒体（メディア）に対するデータ記録処理を実行する情報処理装置の構成例について説明する図である。
【図４３】情報記録媒体（メディア）に対するデータ記録処理の処理シーケンスを説明するフローチャートを示す図である。
【図４４】情報記録媒体（メディア）に対するデータ記録処理の処理シーケンスを説明するフローチャートを示す図である。
【図４５】情報記録媒体（メディア）からのデータ再生処理を実行する情報処理装置の構成例について説明する図である。
【図４６】情報記録媒体（メディア）からのデータ再生処理の処理シーケンスを説明するフローチャートを示す図である。
【図４７】本開示の処理に適用される情報処理装置のハードウェア構成例について説明する図である。
【発明を実施するための形態】
【００３０】
以下、図面を参照しながら本開示の情報処理装置、情報記録媒体、および情報処理方法、並びにプログラムの詳細について説明する。なお、説明は以下の項目に従って行なう。
１．通信システムの構成例について
２．ＭＭＴ（ＭＰＥＧ  Ｍｅｄｉａ  Ｔｒａｎｓｐｏｒｔ）フォーマットについて
３．ＢＤＡＶフォーマットとＳＰＡＶフォーマットについて
４．ＭＭＴフォーマットデータをＢＤＡＶフォーマットに従って記録する場合の処理について
５．年齢に応じた再生制限情報（パレンタル（Ｐａｒｅｎｔａｌ）情報）について
６．クリップ情報ファイルに対するパレンタル（Ｐａｒｅｎｔａｌ）情報の記録例について
６−１．（実施例Ａ１）クリップ情報［ＣｌｉｐＩｎｆｏ（）］内のリザーブ領域にパレンタル（Ｐａｒｅｎｔａｌ）情報を記録する実施例
６−２．（実施例Ａ２）クリップ情報ファイルに新たにパレンタル（Ｐａｒｅｎｔａｌ）情報記録領域を追加して記録する実施例
７．プレイリストファイルに対するパレンタル（Ｐａｒｅｎｔａｌ）情報の記録例について
７−１．（実施例Ｂ１）ユーザインタフェースアプリケーション情報［ＵＩＡｐｐＩｎｆｏＰｌａｙＬｉｓｔ］内のリザーブ領域にパレンタル（Ｐａｒｅｎｔａｌ）情報を記録する実施例
７−２．（実施例Ｂ２）プレイリストファイルに新たにパレンタル（Ｐａｒｅｎｔａｌ）情報記録領域を追加して記録する実施例
８．パスコード入力による視聴制限の解除を可能とした構成例について
９．パレンタル（Ｐａｒｅｎｔａｌ）情報を利用制御情報ファイル（Ｕｓａｇｅ  Ｆｉｌｅ）に記録する実施例
１０．パレンタル（Ｐａｒｅｎｔａｌ）情報をクリップＡＶストリームファイルの格納パケットのヘッダに記録する実施例
１１．情報記録媒体に対するデータ記録処理を実行する情報処理装置の構成と処理について
１２．情報記録媒体からのデータ再生処理を実行する情報処理装置の構成と処理について
１３．情報処理装置の構成例について
１４．本開示の構成のまとめ
【００３１】
［１．通信システムの構成例について］
まず、図１を参照して本開示の処理を実行する情報処理装置の一つの利用構成例である通信システムの例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理、さらに、他メディアに対するデータコピー処理等を実行する。
【００３２】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００３３】
情報処理装置３０は、例えば記録再生装置３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディア記録データの編集処理、メディアからのデータ再生処理、さらに、メディア間のデータコピー処理等を実行する。
【００３４】
送信装置２０から情報処理装置３０に対するデータ送信は、ＭＥＧ−２ＴＳフォーマット、あるいはＭＭＴ（ＭＰＥＧ  Ｍｅｄｉａ  Ｔｒａｎｓｐｏｒｔ）フォーマットに従って実行される。
ＭＥＧ−２ＴＳフォーマット、ＭＭＴフォーマットは、いずれも画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００３５】
ＭＥＧ−２ＴＳフォーマットは、現在、すでに利用されているフォーマットであり、ＭＭＴフォーマットは、今後の４Ｋ、８Ｋ画像の送信において利用予定のフォーマットである。
【００３６】
送信装置２０は、コンテンツデータを符号化し、符号化データおよび符号化データのメタデータを含むデータファイルを生成し、生成した符号化データをＭＥＧ−２ＴＳフォーマットにおいて規定されるＴＳパケット、あるいはＭＭＴにおいて規定されるＭＭＴＰ（ＭＭＴ  Ｐｒｏｔｏｃｏｌ）パケットに格納して放送波、またはネットワークを介して送信する。
【００３７】
送信装置２０が情報処理装置３０に提供するデータは、画像、音声、字幕等の再生対象データの他、番組ガイド等の案内情報や通知情報、制御メッセージ等の様々な管理情報によって構成される制御情報（ＳＩ：Ｓｉｇｎａｌｉｎｇ  Ｉｎｆｏｒｍａｔｉｏｎ（シグナリング情報））によって構成される。
【００３８】
［２．ＭＭＴ（ＭＰＥＧ  Ｍｅｄｉａ  Ｔｒａｎｓｐｏｒｔ）フォーマットについて］
上述したように、送信装置２０から情報処理装置３０に対するデータ送信は、今後、ＭＭＴ（ＭＰＥＧ  Ｍｅｄｉａ  Ｔｒａｎｓｐｏｒｔ）フォーマットに従って実行されることが予定されている。
図２以下を参照して、ＭＭＴ（ＭＰＥＧ  Ｍｅｄｉａ  Ｔｒａｎｓｐｏｒｔ）フォーマットについて説明する。
【００３９】
図２は、ＭＭＴフォーマットのスタック・モデルを示す図である。
図２に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００４０】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００４１】
制御情報（ＳＩ）は、情報処理装置３０側においてコンテンツ（番組）を受信、再生するために必要となる設定情報や、番組ガイド等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴＰパケットに格納される制御情報（ＳＩ）は最上位レイヤに示すＭＭＴ−ＳＩであり、主に再生制御に関する制御情報によって構成されている。
【００４２】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００４３】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データのレイヤ。
【００４４】
音声符号化規格である、
（１）ＭＰＥＧ４  ＡＡＣ  ＬＣ（Ａｄｖａｎｃｅｄ  Ａｕｄｉｏ  Ｃｏｄｉｎｇ  Ｌｏｗ  Ｃｏｍｐｌｅｘｉｔｙ）に従った符号化音声データ、または、
（２）ＭＰＥＧ４  ＡＬＳ（Ａｕｄｉｏ  Ｌｏｓｌｅｓｓ  Ｃｏｄｉｎｇ）に従った符号化音声データ、
これらの音声符号化規格に従って符号化された音声（Ａｕｄｉｏ）データのレイヤ。
【００４５】
さらに、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信される制御情報（ＭＭＴ−ＳＩ）、
ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００４６】
制御情報（ＭＭＴ−ＳＩ）は、ＭＭＴＰパケットで送信される制御情報（シグナリング情報）であり、情報処理装置３０側においてコンテンツ（番組）を再生するために必要となる設定情報や、番組ガイド等の案内情報や通知情報、制御情報等の様々な管理情報によって構成される。
【００４７】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００４８】
図２に示すように、画像、音声、字幕、さらに、様々な通知情報や制御情報等の様々な管理情報からなる制御情報（ＭＭＴ−ＳＩ）やアプリケーションは、ＭＭＴＰパケットによって送信される。
【００４９】
図３を参照してＭＭＴＰパケットの具体的構成例について説明する。
図３には以下の４種類のデータ構成例を示している。
（ａ）ＭＰＵ（Ｍｅｄｉａ  Ｐｒｅｓｅｎｔａｔｉｏｎ  Ｕｎｉｔ）
（ｂ）ＭＭＴＰペイロート
（ｃ）ＭＭＴＰパケット
（ｄ）ＴＬＶパケット
【００５０】
（ｄ）ＴＬＶパケットが放送波やネットワークを介して送信されるパケットであり、ＴＬＶパケットには、ＵＤＰヘッダ、ＩＰヘッダ、ＴＬＶヘッダの各ヘッダ情報が設定される。ＴＬＶパケットは、データ種類ごとに個別のパケットとして設定される。
【００５１】
すなわち、１つのＴＬＶパケットのＴＬＶペイロードには、１つの種類のデータが格納される。具体的には、例えば、画像（Ｖ）、音声（Ａ）、字幕（Ｓ）、あるいは、様々な管理情報からなる制御情報（ＳＩ）が個別に格納される。
なお、制御情報（ＳＩ）については、ＭＭＴＰパケットに格納する制御情報（ＭＭＴ−ＳＩ）と、ＴＬＶパケットで送信される制御情報（ＴＬＶ−ＳＩ）があり、それぞれ異なる個別のＴＬＶパケットに格納される。
【００５２】
ＴＬＶパケットのペイロードであるＴＬＶペイロートの一例が、図３（ｃ）に示すＭＭＴＰパケットである。
図３（ｃ）に示すＭＭＴＰパケットは、ＭＭＴＰヘッダと、ＭＭＴＰペイロードによって構成される。
【００５３】
１つのＭＭＴＰパケットのＭＭＴＰペイロードには、１つの種類のデータが格納される。具体的には、例えば、画像（Ｖ）、音声（Ａ）、字幕（Ｓ）、さらにＭＭＴＰパケットに格納する制御情報（ＭＭＴ−ＳＩ）、これらのいずれか一種類のデータが、個別のＭＭＴＰパケットに格納される。
【００５４】
図３（ａ），（ｂ）は、図３（ｃ）に示すＭＭＴＰパケットのＭＭＴＰペイロードに格納される画像データの詳細構成を示している。
図３（ｂ）は、図３（ｃ）に示すＭＭＴＰパケット中、ＭＭＴＰペイロードが画像データ（Ｖ）であるもののみを選択して示している。
図３（ｂ）に示すＭＭＴＰペイロードは、ヘッダとデータユニットによって構成される。
【００５５】
データユニットには、図３（ａ）に示すように、画像データおよび、以下の各種のパラメータが格納される。
ＡＵ  Ｄｅｌｉｍｉｔｅｒ（Ａｃｃｅｓｓ  Ｕｎｉｔ  Ｄｅｌｉｍｉｔｅｒ）
ＳＰＳ（Ｓｅｑｕｅｎｃｅ  Ｐａｒａｍｅｔｅｒ  Ｓｅｔ）
ＰＰＳ（Ｐｉｃｔｕｒｅ  Ｐａｒａｍｅｔｅｒ  Ｓｅｔ）
ＳＥＩｓ（Ｓｕｐｐｌｅｍｅｎｔａｌ  Ｅｎｈａｎｃｅｍｅｎｔ  Ｉｎｆｏｒｍａｔｉｏｎ）
これらのパラメータは、画像表示に利用されるパラメータである。
【００５６】
図３（ａ）に示すＭＰＵ（Ｍｅｄｉａ  Ｐｒｅｓｅｎｔａｔｉｏｎ  Ｕｎｉｔ）は、ＭＭＴフォーマットにおける画像、音声、字幕等の再生対象データの１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【００５７】
このように、例えば画像データは、図３（ａ）に示すように、ＭＭＴフォーマットにおいて規定されたパラメータと画像構成データに分割され、図３（ｂ）に示すＭＭＴＰペイロードに格納され、図３（ｃ）に示すＭＭＴＰパケットとして構成される。
さらに、ＭＭＴＰパケットは、図３（ｄ）に示すＴＬＶパケットのペイロードとして設定されて、ＴＬＶパケットが放送波やネットワークを介して送信される。
【００５８】
なお、音声、字幕等の各データ、ＭＭＴ−ＳＩの各データについても、それぞれデータ種類単位のＭＭＴＰパケット、ＴＬＶパケットが設定されて送信される。
ＴＬＶ−ＳＩは、ＭＭＴＰパケットに格納されることなくＴＬＶパケットに格納されて送信される。
【００５９】
［３．ＢＤＡＶフォーマットとＳＰＡＶフォーマットについて］
次に、ＭＰＥＧ−２ＴＳフォーマット、あるいは上述のＭＭＴフォーマットに従った配信コンテンツを例えばＢＤ（Ｂｌｕ−ｒａｙ（登録商標）  Ｄｉｓｃ）やフラッシュメモリ、あるいはＨＤＤ（ハードディスク）等のメディアに記録して再生する場合の記録データフォーマットであるＢＤＡＶフォーマットとＳＰＡＶフォーマットについて図４以下を参照して説明する。
【００６０】
例えばＢＤ（Ｂｌｕ−ｒａｙ（登録商標）  Ｄｉｓｃ）やフラッシュメモリやＨＤＤ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００６１】
前述したように、現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００６２】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００６３】
ＭＰＥＧ−２ＴＳフォーマット、あるいは上述のＭＭＴフォーマットに従った配信コンテンツを記録したメディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００６４】
図４は、情報記録媒体（メディア）４０にＢＤＡＶフォーマットに従って記録されたデータのディレクトリ構成例を示す図である。
ディレクトリには、図４に示すように様々な管理情報、再生制御情報、再生対象データの格納ファイルが設定される。
【００６５】
管理情報ファイルは、例えば、図４に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００６６】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００６７】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
なお、ＭＰＥＧ−２ＴＳフォーマットにおいて規定され、クリップＡＶストリームファイルに記録される管理情報として、例えば、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）がある。
【００６８】
なお、従来の放送データや、ネットワーク配信データは、ＴＳ（Ｔｒａｎｓｐｏｒｔ  Ｓｔｒｅａｍ）パケットによって構成されたＭＰＥＧ−２ＴＳフォーマットデータであるが、今後の４Ｋ，８Ｋ画像等の高精細画像等を含むデータは前述したＭＭＴＰパケットによって構成されるＭＭＴフォーマットデータとなることが予想される。
【００６９】
図４にはクリップＡＶストリームファイル（ｓｔｒｅａｍ）として、
ＴＳパケットによって構成されたＭＰＥＧ−２ＴＳフォーマットデータからなるストリームファイル（ｎｎｎｎｎ．ｍ２ｔｓ）、
ＭＭＴＰパケットによって構成されるＭＭＴフォーマットデータ（ｎｎｎｎｎ．ｍｍｔｖ）、
これらの２種類のストリームファイルを示している。
【００７０】
図４に示すディレクトリ例は、情報処理装置３０が受信したデータがＭＰＥＧ−２ＴＳフォーマットデータである場合は、そのまま、ＭＰＥＧ−２ＴＳフォーマットデータとしてメディアに記録し、受信データがＭＭＴフォーマットデータである場合は、ＭＭＴフォーマットデータとしてメディアに記録する設定の場合のディレクトリ例である。
【００７１】
なお、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列からなるクリップＡＶストリームファイルを生成する、
これらの２種類の処理が想定される。
【００７２】
現在、上記（２）の処理、すなわち、ＭＭＴフォーマットに従ったデータを格納したパケットのパケット列からなるクリップＡＶストリームファイルを生成してメディアに記録する方向で議論が進んでいる。
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
この具体例については後段で詳細に説明する。
【００７３】
管理情報ファイル、プレイリストファイル、クリップ情報ファイル、これらのデータファイルは、クリップＡＶストリームファイルに格納された再生データである画像、音声、字幕等の再生処理に適用する管理情報の格納ファイルである。これらは、再生制御情報や、再生データの属性情報等を格納したファイルであり、データベースファイルと呼ばれる。
【００７４】
情報記録媒体に記録されたコンテンツを再生するシーケンスは以下の通りである。
（ａ）まず、再生アプリケーションによって管理情報ファイルから特定のプレイリストを指定する。
（ｂ）選択されたプレイリストに規定されたクリップ情報ファイルを選択し、クリップ情報ファイルの記録データに従って、クリップＡＶストリームファイルから、画像、音声等の再生データであるＡＶストリームあるいはコマンドを読み出して、ＡＶストリームの再生や、コマンドの実行処理を開始する。
【００７５】
図５は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００７６】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００７７】
これら複数のカテゴリのファイルは、図５に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００７８】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００７９】
なお、クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットによって構成される。
【００８０】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントであるエントリポイント（ＥＰ）等の再生時間位置等の対応データ等、クリップＡＶストリームファイルの格納データの再生開始位置などを取得するための管理情報を格納している。
【００８１】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００８２】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００８３】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
また、４Ｋ，８Ｋ画像等の高精細画像データ等において、今後、利用予定のＭＭＴフォーマットデータである場合はＭＭＴＰパケット、またはＴＬＶパケットによって構成される。
図６、図７を参照して、ＭＭＴフォーマットと、ＭＰＥＧ−２ＴＳフォーマットについて説明する。
【００８４】
まず、図６を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データや管理情報（ＰＳＩ／ＳＩ）を記録媒体（メディア）に格納、または放送波やネットワークを介して伝送する際の符号化データ等のデータ格納形式（コンテナフォーマット）を規定したフォーマットである。
【００８５】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００８６】
図６（ａ）〜（ｃ）はＭＰＥＧ−２ＴＳフォーマットデータの構成を示す図である。
最下段に示す図６（ａ）は、ＭＰＥＧ−２ＴＳのフォーマットデータの全体構成を示す図である。
図６（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００８７】
１つのエレメンタリストリーム（Ｅｌｅｍｅｎｔａｒｙ  ｓｔｒｅａｍ）は、図２（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００８８】
１つのＰＥＳパケットは、図６（ｃ）に示すように、１つまたは複数のＴＳパケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００８９】
次に、図７を参照してＭＭＴ（ＭＰＥＧ  Ｍｅｄｉａ  Ｔｒａｎｓｐｏｒｔ）フォーマットについて説明する。
ＭＭＴフォーマットについては、先に図３を参照しているが、図７に示すＭＭＴフォーマットの説明図は、図６を参照して説明したＭＰＥＧ−２ＴＳフォーマットとの対応関係を分かり易く説明した図である。
【００９０】
先に説明したように、ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランスポートフォーマット）を規定したものである。
図７は、ＩＳＯ／ＩＥＣ  ２３００８−１に規定されるファイルフォーマットであるＭＭＴフォーマットについて説明する図である。
【００９１】
図７（ａ）〜（ｃ）にはＭＭＴフォーマットデータの構成を示している。
最下段に示す図７（ａ）は、ＭＭＴフォーマットデータの全体構成を示す図である。
図７（ａ）に示すように、ＭＭＴフォーマットデータは、複数のメディアプレゼンテーションユニット（ＭＰＵ：Ｍｅｄｉａ  ｐｒｅｓｅｎｔａｔｉｏｎ  ｕｎｉｔ）によって構成される。
ＭＰＵは、例えば画像、音声、字幕等の１つの単位として設定されるユニットである。例えば、画像の場合、１ＭＰＵが１つのＭＰＥＧ圧縮画像単位である１ＧＯＰ（Ｇｒｏｕｐ  ｏｆ  ｐｉｃｔｕｒｅ）に相当する。
【００９２】
１つのＭＰＵは、図７（ｂ）に示すように、１つまたは複数のメディアフラグメントユニット（ＭＦＵ：Ｍｅｄｉａ  Ｆｒａｇｍｅｎｔ  ｕｎｉｔ）によって構成される。
具体的には、１つのＭＰＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＦＵの１つ、または複数から構成される。
【００９３】
１つのＭＦＵは、図７（ｃ）に示すように、１つまたは複数のＭＭＴＰパケットによって構成される。
具体的には、１つのＭＦＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＭＴＰパケットの１つ、または複数から構成される。
ＭＭＴＰパケットは可変長であり、様々なパケットサイズに設定可能である。
ＭＭＴＰパケットの各々は、属性情報等を格納するヘッダ（ＭＭＴＰヘッダ）と、符号化画像の実データ等を格納するペイロード（ＭＭＴＰペイロード）により、構成される。
【００９４】
なお、ＢＤＡＶフォーマットに類似するフォーマットとしてＳＰＡＶフォーマットがある。前述したように、ＢＤＭＶやＢＤＡＶは、主にＢＤを利用したデータ記録再生のアプリケーション規格である。これに対して、ＳＰＡＶフォーマットは、主にハードディスクに対するデータ記録再生のアプリケーション規格である。
ただし、ＢＤＡＶフォーマット、ＳＰＡＶフォーマットのいずれも、ＢＤ，フラッシュメモリ、ＨＤＤ等、様々なメディアを利用した記録再生に利用可能なフォーマットである。
【００９５】
ＳＰＡＶフォーマットデータは、ＢＤＡＶフォーマットにおけるデータ記録再生処理と同様の処理でデータ記録再生を実行することが可能である。ただし、ＳＰＡＶフォーマットは、ファイル名設定が、ＢＤＡＶフォーマットと一部、異なっている。
図８にＳＰＡＶフォーマットのディレクトリ構成例を示す。
【００９６】
図８に示すＳＰＡＶフォーマットのディレクトリには、先に図４を参照して説明したＢＤＡＶフォーマットと同様、様々な管理情報、再生制御情報、再生対象データの格納ファイルが設定される。
【００９７】
管理情報ファイルは、例えば、図８に示すインフォファイル（ＩＮＦＯ）、メニューファイル（ＭＥＮＵ）、マークファイル（ＭＡＲＫ）等によって構成される。これらは、主にユーザに見せるタイトルの管理情報等を格納する。
また、再生制御情報ファイルとして、
プレイリストファイル（ＰＬＡＹＬＩＳＴ）、
クリップ情報ファイル（ＣＬＩＰＩＮＦ）
例えば、これらのファイルが記録される。
さらに、再生データ格納ファイルとして、クリップＡＶストリームファイル（ＳＴＲＥＡＭ）が記録される。
【００９８】
図８に示すようにＳＰＡＶフォーマットのディレクトリ名や各ファイルの拡張子の設定が、図４を参照して説明したＢＤＡＶフォーマットと異なっている。
ただし、各ファイルに格納されるデータや、各ファイルの役割は、ＢＤＡＶフォーマットと同様である。
【００９９】
以下の実施例の説明では、ＭＰＥＧ−２ＴＳフォーマット、あるいはＭＭＴフォーマットデータをＢＤＡＶフォーマットデータとして記録し、再生する処理例について説明するが、以下に説明する実施例は、ＭＰＥＧ−２ＴＳフォーマット、あるいはＭＭＴフォーマットデータをＳＰＡＶフォーマットデータとして記録し、再生する処理にも適用可能である。
【０１００】
［４．ＭＭＴフォーマットデータをＢＤＡＶフォーマットに従って記録する場合の処理について］
次に、ＭＭＴフォーマットデータをＢＤＡＶフォーマットに従って記録する場合の処理について説明する。
【０１０１】
先に説明したように、ＭＭＴフォーマットは、今後、放送局等によって配信が予定される４Ｋ画像等に利用されるデータ配信フォーマットであり、図３を参照して説明したプロトコルスタックに従ったフォーマットである。
一方、ＢＤＡＶフォーマットはメディアに対するデータ記録フォーマットであり、図４を参照して説明したようにプレイリストファイルやクリップ情報ファイル等の再生制御情報ファイルを含むデータベースファイルが規定されている。
なお、ＢＤＡＶフォーマットはデータ記録フォーマットであるとともにデータ記録再生アプリケーション規格にも対応しており、ＢＤＡＶフォーマットに従ってメディアに記録されたデータ再生は、ＢＤＡＶフォーマット対応の再生アプリケーションを利用して再生処理が実行される。
【０１０２】
従って、ＭＭＴフォーマットに従った配信コンテンツをメディアに記録し、記録したメディアからのコンテンツ再生処理をＢＤＡＶフォーマット対応の再生アプリケーションを利用して行なうためには、ＢＤＡＶフォーマットに従ったデータ記録を行うことが必要である。
【０１０３】
前述したように、現在、ＢＤＡＶフォーマットを拡張し、ＭＭＴフォーマットデータを記録、再生可能とするための規定について議論が進められている。
【０１０４】
なお、前述したように、ＭＭＴフォーマットデータをメディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列からなるクリップＡＶストリームファイルを生成する、
これらの２種類の処理が可能である。
【０１０５】
現在、上記（２）の処理、すなわち、ＭＭＴフォーマットに従ったデータを格納したパケットのパケット列からなるクリップＡＶストリームファイルを生成してメディアに記録する方向で議論が進んでいる。
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
【０１０６】
例えば、放送局等が送信するＭＭＴフォーマットに従った配信データを録画機等の情報処理装置が受信し、受信データをＢＤやフラッシュメモリ、あるいはＨＤＤ（ハードディスク）等のメディアに記録する処理を行う場合、画像、音声、字幕データや管理情報（ＳＩ）等のデータについては、ＭＭＴフォーマットに従ったデータを格納したパケットのパケット列としてそのまま記録する。
【０１０７】
すなわち、図４に示すＢＤＡＶフォーマット、あるいは図８に示すＳＰＡＶフォーマットに設定されるクリップＡＶストリームファイル［０２００１．ｍｍｔｖ等］に、ＭＭＴフォーマットに従ったデータを格納したパケットのパケット列を記録する。
なお、ＭＭＴフォーマットデータを格納したクリップＡＶストリームファイル［０２００１．ｍｍｔｖ等］に対応する再生制御情報ファイルであるプレイリストファイルやクリップ情報ファイルについては、ＭＭＴフォーマットデータ対応の制御情報を設定したプレイリストファイルやクリップ情報ファイルを記録装置が生成してメディアに記録することになる。
【０１０８】
なお、ＭＭＴフォーマットデータを格納したクリップＡＶストリームファイルは、具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケット、これら２種類のパケットのいずれかのパケット列として記録することが可能である。
【０１０９】
ＭＭＴフォーマットデータを格納したクリップＡＶストリームファイルの具体的な記録構成例について図９、図１０を参照して説明する。
図９は、ＢＤやフラッシュメモリ、あるいはＨＤＤ（ハードディスク）等の記録メディアに、ＭＭＴフォーマットに従ったＭＭＴＰ（ＭＭＴ  Ｐｒｏｔｏｃｏｌ）パケット列を記録する処理例を説明する図である。
【０１１０】
図９には、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＭＭＴＰパケット列
【０１１１】
（Ａ）放送配信データであるＴＬＶパケット列は、先に図２を参照して説明したＭＭＴ（ＭＰＥＧ  Ｍｅｄｉａ  Ｔｒａｎｓｐｏｒｔ）フォーマットを有するＴＬＶパケットの列（シーケンス）である。
このＴＬＶパケット列が、放送局等の送信装置２０から送信される。
【０１１２】
（Ｂ）受信再生データとして処理される１つのＴＬＶパケットは、テレビや録画機等の情報処理装置３０が受信し、再生処理を行う１つのＴＬＶパケットである。（Ａ）に示すＴＬＶパケット列を構成する１つのＴＬＶパケットの詳細構成を示している。
先に図２を参照して説明したＭＭＴ（ＭＰＥＧ  Ｍｅｄｉａ  Ｔｒａｎｓｐｏｒｔ）フォーマットを有するＴＬＶパケットである。
【０１１３】
（Ｃ）メディア記録用データの構成として示すＭＭＴＰパケット列は、現在、メディアに対する記録データとして提案されているＭＭＴＰパケット列である。
メディアに記録されるＭＭＴＰパケットは、図９（Ｂ）との対応関係を示す点線から理解されるように、ＴＬＶパケットの一部の構成データであるＭＭＴＰパケットであり、以下の要素から構成される。
（ａ）ＭＭＴＰパケットヘッダ（ＭＭＴＰ＿ｐａｃｋｅｔ＿ｈｅａｄｅｒ）
（ｂ）ＭＭＴＰパケットデータ（ＭＭＴＰ＿ｐａｃｋｅｔ＿ｄａｔａ）（＝ペイロード）
【０１１４】
なお、ＭＭＴＰパケットデータ（ＭＭＴＰ＿ｐａｃｋｅｔ＿ｄａｔａ）（＝ペイロード）は以下の要素によって構成される。
（ｂ１）ＭＭＴＰペイロードヘッダ（ＭＭＴＰ＿ｐａｙｌｏａｄ＿ｈｅａｄｅｒ）
（ｂ２）ＭＭＴＰペイロードデータ（ＭＭＴＰ＿ｐａｙｌｏａｄ＿ｄａｔａ）
【０１１５】
現在、情報記録媒体（メディア）に対する記録データとして提案されている一つの構成が、この図９（Ｃ）に示すような、ＴＬＶパケットの構成要素であるＭＭＴＰパケットのみを取り出して、一列に並べて記録する構成である。
【０１１６】
図１０は、ＢＤやフラッシュメモリ、あるいはＨＤＤ（ハードディスク）等の記録メディアに、ＭＭＴＰ（ＭＭＴ  Ｐｒｏｔｏｃｏｌ）パケットではなく、ＭＭＴＰパケットを格納した上位のＴＬＶパケットのパケット列を記録する処理例を説明する図である。
【０１１７】
図１０には、図９と同様、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＴＬＶパケット列
【０１１８】
（Ａ），（Ｂ）は、図９を参照して説明したと同様のデータである。
（Ｃ）メディア記録用データの構成として示すＴＬＶパケット列は、現在、メディアに対する記録データとして提案されているもう１つの例であるＴＬＶパケット列である。
メディアに記録されるＴＬＶパケットは、図１０（Ｂ）との対応関係を示す点線から理解されるように、ＭＭＴＰパケットを含むＴＬＶパケットであり、以下の要素から構成される。
（ａ）ＴＬＶパケットヘッダ（ＴＬＶ＿ｈｅａｄｅｒ）
（ｂ）ＴＬＶパケットデータ（ＴＬＶ＿ｄａｔａ）（＝ペイロード）
【０１１９】
このように、ＢＤ等のメディアに対するＭＭＴフォーマットデータの記録態様として、
図９を参照して説明したＭＭＴＰ（ＭＭＴ  Ｐｒｏｔｏｃｏｌ）パケットのパケット列、あるいは、
図１０を参照して説明したＴＬＶ（Ｔｙｐｅ  Ｌｅｎｇｔｈ  Ｖａｌｕｅ）パケットのパケット列、
これらいずれかのパケット列として記録することが想定される。
【０１２０】
図９、または図１０に示すような設定でＭＭＴフォーマットデータをメディアに記録して、ＭＭＴフォーマットデータの再生処理をＢＤＡＶフォーマット対応の再生アプリケーションを利用して行う場合、ＢＤＡＶフォーマット対応の再生制御情報ファイル、すなわち、プレイリストファイルやクリップ情報ファイルを利用して再生を行うことになる。
なお、ＢＤＡＶフォーマットはデータ記録フォーマットであるとともにデータ記録再生アプリケーション規格にも対応しており、ＢＤＡＶフォーマットに従ってメディアに記録されたデータの再生は、ＢＤＡＶフォーマット対応の再生アプリケーションを利用して実行される。
【０１２１】
ＢＤＡＶフォーマットは、再生制御情報ファイルであるプレイリストファイルやクリップ情報ファイル等のＢＤＡＶフォーマット固有のデータベースファイルを規定しており、ＢＤＡＶ対応再生アプリケーションはこれらの再生制御情報ファイル（データベースファイル）の記録情報を利用してデータ再生処理を実行する。
【０１２２】
前述したように、ＢＤＡＶフォーマット規定のプレイリストファイルやクリップ情報ファイル等のデータベースファイルは、もともと、ＭＰＥＧ−２ＴＳフォーマットの配信データに基づいて生成可能なファイルとして規定されたものである。
従って、ＭＰＥＧ−２ＴＳフォーマットとはフォーマットの異なるＭＭＴフォーマットに従った配信データは、現行のＢＤＡＶフォーマット規定のプレイリストファイルやクリップ情報ファイルにそのまま記録しても、現行のＢＤＡＶ対応再生アプリケーションが利用できないデータとなる場合がある。
【０１２３】
ＭＭＴフォーマットデータをメディアに記録し、ＢＤＡＶフォーマット対応アプリを利用してコンテンツ再生を行うことを可能とするためには、メディアに対するＭＭＴフォーマットデータの記録処理に際して、ＭＭＴフォーマットデータ対応のプレイリストファイルやクリップ情報ファイルを生成してメディアに記録することが必要となる。
また、メディアに記録されたＭＭＴフォーマットデータの再生時には、ＭＭＴフォーマットデータ対応のプレイリストファイルやクリップ情報ファイルを利用して再生を行うことが必要となる。
【０１２４】
具体的には、図１１に示すように、ＭＭＴフォーマットデータ格納クリップＡＶストリームファイル５１対応のクリップ情報ファイル（ｎｎｎｎｎ．ｃｌｐｉ）５２と、プレイリストファイル（ｎｎｎｎｎ．ｒｐｌｓ）５３を生成して、メディア（ＢＤ，フラッシュメモリ，ＨＤＤ等）に記録して再生に利用する処理が必要となる。
【０１２５】
メディアに記録されたＭＭＴフォーマットデータ格納クリップＡＶストリームファイル５１を再生する場合には、このＭＭＴフォーマットデータ格納クリップＡＶストリームファイル５１対応のクリップ情報ファイル（ｎｎｎｎｎ．ｃｌｐｉ）５２と、プレイリストファイル（ｎｎｎｎｎ．ｒｐｌｓ）５３を利用して再生処理を行うことができる。
【０１２６】
しかし、前述したように、放送局の配信データであるＭＭＴフォーマットに従って配信されるデータは、ＢＤＡＶフォーマットで規定するプレイリストファイルやクリップ情報ファイルの記録用データを全て含むようには構成されていない。
また、ＭＭＴフォーマットデータ格納クリップＡＶストリームファイル５１は、ＭＰＥＧ−２ＴＳフォーマットデータとは異なるデータ形式となり、ＭＰＥＧ−２ＴＳフォーマットデータ対応のプレイリストファイルやクリップ情報ファイルと同一形式のデータを持つプレイリストファイルやクリップ情報ファイルを利用しても、正しい再生処理は実行できないという問題がある。
【０１２７】
従って、このＭＭＴフォーマットデータをメディアに記録して、ＢＤＡＶフォーマット対応アプリを利用してコンテンツ再生を行うためには、ＭＭＴフォーマットデータ格納クリップＡＶストリームファイル５１の再生制御を行うことができるＭＭＴフォーマットデータ固有のデータ形式を持つプレイリストファイルやクリップ情報ファイルを生成してメディアに記録することが必要となる。
【０１２８】
［５．年齢に応じた再生制限情報（パレンタル（Ｐａｒｅｎｔａｌ）情報）について］
放送やネットワークを介して受信するコンテンツには、様々なコンテンツが含まれる。その一部は、一定の年齢以上の視聴者である場合にのみ再生を許容するコンテンツである。
このように様々なコンテンツに応じた再生制御を行うため、放送やネットワークを介した配信コンテンツには、コンテンツに対応させた再生制御情報が併せて配信される場合がある。
【０１２９】
例えば、一定の年齢以上の視聴者である場合にのみ再生を許容することを示す再生許容年齢情報として、
パレンタル（Ｐａｒｅｎｔａｌ）情報
がある。
【０１３０】
従来から利用されているＭＰＥＧ−２ＴＳフォーマットにおいても、今後の利用拡大が見込まれるＭＭＴフォーマットにおいても、一定の年齢以上の視聴者である場合にのみ再生を許容するコンテンツについては、この再生許容年齢情報である「パレンタル（Ｐａｒｅｎｔａｌ）情報」が、コンテンツに併せて送信される。
【０１３１】
テレビ等で受信コンテンツを再生する場合、テレビ等の再生装置は、予め再生装置のメモリに格納された視聴者年齢情報と、この「パレンタル（Ｐａｒｅｎｔａｌ）情報」の設定値を比較してコンテンツ再生の実行、中止の処理を行う。すなわち、視聴者年齢に応じた再生制御を行う。
【０１３２】
従来から利用されているＭＰＥＧ−２ＴＳフォーマット、およびＭＭＴフォーマットにおける「パレンタル（Ｐａｒｅｎｔａｌ）情報」の記録例について、図１２以下を参照して説明する。
【０１３３】
図１２は、ＭＰＥＧ−２ＴＳフォーマットに従って放送局等から送信されるコンテンツ対応の制御情報であるプログラムマップテーブル（ＰＭＴ）のデータ構成（シンタクス：Ｓｙｎｔａｘ）を示している。ビット数（Ｎｏ．  ｏｆ  ｂｉｔｓ）、データ表記（Ｍｎｅｍｏｎｉｃ）も併せて示している。
なお、データ表記中の「ｕｉｍｓｂｆ」は「符号無し整数、最上位ビットが先頭」（ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔ）表記を意味する。
「ｂｓｌｂｆ」は、「ビット列、左ビットが先頭（ｂｉｔ  ｓｔｒｉｎｇ，ｌｅｆｔ  ｂｉｔ  ｆｉｒｓｔ）を意味する。
【０１３４】
ＭＰＥＧ−２ＴＳフォーマットに従って放送局等から送信されるコンテンツ対応の制御情報であるプログラムマップテーブル（ＰＭＴ）の記述子（ｄｅｓｃｒｉｐｔｏｒ）の１つとして、パレンタル（Ｐａｒｅｎｔａｌ）情報記述子（ｄｅｓｃｒｉｐｔｏｒ）８１が記録される。
【０１３５】
図１３は、パレンタル（Ｐａｒｅｎｔａｌ）情報記述子（ｄｅｓｃｒｉｐｔｏｒ）８１のデータ構成（シンタクス：Ｓｙｎｔａｘ）を示している。
パレタンルレート記述子（ｄｅｓｃｒｉｐｔｏｒ）には、以下の各データが含まれる。
記述子タグ（ｄｅｓｃｒｉｐｔｏｒ＿ｔａｇ）＝記述子識別子
記述子長（ｄｅｓｃｒｉｐｔｏｒ＿ｌｅｎｇｔｈ）＝記述子バイト数
国コード（ｃｏｕｎｔｒｙ＿ｃｏｄｅ）＝適用対象国
レーティング（ｒａｔｉｎｇ）＝視聴制限年齢情報（パレンタルレート情報）
【０１３６】
具体的なコンテンツの年齢制限情報は、図に示すパレンタルレート（Ｒａｔｉｎｇ）８２に記録される。
このパレンタルレート（Ｒａｔｉｎｇ）８２の具体的な記録例と意味は、図１３（１ｂ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０１３７】
Ｒａｔｉｎｇ＝０ｘ０１〜０ｘ０Ｆは、Ｒａｔｉｎｇ設定値が、
０ｘ０１＝１から、０ｘ０Ｆ＝１５
まで記録可能であり、
このフィールドの設定値１〜１５に対して、３歳〜１８歳の範囲で視聴許容最小年齢を設定できることを意味する。
このようなパレンタル（Ｐａｒｅｎｔａｌ）情報を含む再生制御情報が、例えば番組単位等、所定のコンテンツ単位のコンテンツ対応制御情報とし送信される。
【０１３８】
図１４は、ＭＭＴフォーマットに従って放送局等から送信されるコンテンツに対応付けて送信されるＭＭＴフォーマットコンテンツ対応の制御情報であるＭＭＴパッケージテーブル（ＭＰＴ）のデータ構成（シンタクス：Ｓｙｎｔａｘ）を示している。
【０１３９】
ＭＭＴフォーマットに従って放送局等から送信されるコンテンツ対応の制御情報であるＭＭＴパッケージテーブル（ＭＰＴ）の記述子（ｄｅｓｃｒｉｐｔｏｒ）の１つとして、パレンタル（Ｐａｒｅｎｔａｌ）情報記述子（ｄｅｓｃｒｉｐｔｏｒ）９１が記録される。
【０１４０】
図１５は、パレンタル（Ｐａｒｅｎｔａｌ）情報記述子（ｄｅｓｃｒｉｐｔｏｒ）９１のデータ構成（シンタクス：Ｓｙｎｔａｘ）を示している。
パレタンルレート記述子（ｄｅｓｃｒｉｐｔｏｒ）には、以下の各データが含まれる。
記述子タグ（ｄｅｓｃｒｉｐｔｏｒ＿ｔａｇ）＝記述子識別子
記述子長（ｄｅｓｃｒｉｐｔｏｒ＿ｌｅｎｇｔｈ）＝記述子バイト数
国コード（ｃｏｕｎｔｒｙ＿ｃｏｄｅ）＝適用対象国
レーティング（ｒａｔｉｎｇ）＝視聴制限年齢情報（パレンタルレート情報）
【０１４１】
具体的なコンテンツの年齢制限情報は、図に示すパレンタルレート（Ｒａｔｉｎｇ）９２に記録される。
このパレンタルレート（Ｒａｔｉｎｇ）９２の具体的な記録例と意味は、図１５（２ｂ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
これらは、先に図１３を参照して説明したと同様のデータである。
【０１４２】
このように、放送やネットワークを介して配信されるコンテンツは、ＭＰＥＧ−２ＴＳフォーマット、ＭＭＴフォーマットのいずれにおいても、一定の年齢以上の視聴者である場合にのみ再生を許容するコンテンツについては、この「パレンタル（Ｐａｒｅｎｔａｌ）情報」が併せて送信される。
【０１４３】
テレビ等で受信コンテンツを再生する場合、テレビ等の再生装置は、予め再生装置のメモリに格納された視聴者年齢情報と、この「パレンタル（Ｐａｒｅｎｔａｌ）情報」の設定値を比較してコンテンツ再生の実行、中止の処理を行う。すなわち、視聴者年齢に応じた再生制御を行う。
【０１４４】
しかし、放送やネットワークを介して配信されるコンテンツをＢＤ等の記録媒体に前述したようにＢＤＡＶフォーマットに従って記録し、この記録データを再生する場合、再生制御情報として利用するのは、プレイリストファイルやクリップ情報ファイルであり、これらのファイルに上述の「パレンタル（Ｐａｒｅｎｔａｌ）情報」が記録されていなければ、再生対象コンテンツが、再生許容最小年齢を規定した再生制限コンテンツであるか否かを判定することができない。
【０１４５】
例えば、メディアに記録されたＢＤＡＶフォーマットデータを再生する場合、まず、再生制御情報であるプレイリストファイルが選択され、選択したプレイリストファイルによって再生可能なコンテンツの一覧データが、テレビ等の表示部に表示される。
ユーザ（視聴者）は、このコンテンツリストを見て、再生するコンテンツを選択することができる。
【０１４６】
１つのプレイリストファイルによって再生可能なコンテンツの一覧データであるコンテンツリスト（録画番組リスト）の例を図１６に示す。
図１６に示すように、コンテンツリストは、タイトル名、録画日時、放送局、付属情報等によって構成される。
これらの情報は、プレイリストファイルに記録された情報である。
しかし、現行のＢＤＡＶフォーマット対応のプレイリストファイルには、上述の「パレンタル（Ｐａｒｅｎｔａｌ）情報」が記録されておらず、「パレンタル（Ｐａｒｅｎｔａｌ）情報」を適用した再生制御を行うことができない。
【０１４７】
ＢＤＡＶフォーマットデータを再生する場合、再生制御情報であるプレイリストファイルや、クリップ情報ファイル等のデータベースファイルを参照して、再生処理が実行される。
従って、ＢＤＡＶフォーマットにおいて規定されるデータベースファイルのいずれかに上述の「パレンタル（Ｐａｒｅｎｔａｌ）情報」に相当する情報が記録されていないと、年齢制限を無視した再生処理が行われる可能性がある。
以下、この様な事態の発生を防止する本開示の構成について説明する。
【０１４８】
［６．クリップ情報ファイルに対するパレンタル（Ｐａｒｅｎｔａｌ）情報の記録例について］
以下、上述した問題点を解決する一構成例として、クリップ情報ファイルにパレンタル（Ｐａｒｅｎｔａｌ）情報を記録した実施例についてに説明する。
【０１４９】
以下において説明する構成は、
ＢＤ等のメディアに記録したコンテンツ（クリップＡＶストリームファイル内のコンテンツ）の再生制御情報を記録したクリップ情報ファイルに、このクリップ情報ファイルを適用した再生対象コンテンツが、
（１）再生許容最小年齢が規定されたコンテンツであるか、
（２）再生許容最小年齢が規定されたコンテンツである場合、再生許容最小年齢が何歳であるか、
上記の識別データ、すなわちパレンタル（Ｐａｒｅｎｔａｌ）情報を記録した構成である。
【０１５０】
まず、図１７を参照してクリップ情報ファイルのデータ構成（シンタクス）について説明する。
先に説明したように、クリップ情報ファイルには、そのクリップ情報ファイルを適用して再生するデータに関する情報が記録される。具体的には、例えば、クリップＡＶストリームファイルの再生位置情報等を有する。
【０１５１】
図１７は、クリップ情報ファイルのデータ構成（シンタクス）を示す図である。
クリップ情報ファイルには、クリップ情報に対応付けられた再生データに関する情報が記録される。図１７に示すように、例えば、以下の各情報が記録される。
クリップ情報［ＣｌｉｐＩｎｆｏ（）］１０１、
シーケンス情報［ＳｅｑｕｅｎｃｅＩｎｆｏ（）］１０２、
プログラム情報［ＰｒｏｇｒａｍＩｎｆｏ（）］１０３、
ＣＰＩ情報［ＣＰＩ（）］１０４、
【０１５２】
クリップ情報［ＣｌｉｐＩｎｆｏ（）］１０１には、クリップ情報ファイルに対応するＡＶストリームファイルの属性情報を記録する。
シーケンス情報［ＳｅｑｕｅｎｃｅＩｎｆｏ（）］１０２には、このクリップ情報ファイルに対応するＡＶストリームファイルに格納された再生対象データの再生シーケンスに関する情報を記録する。
【０１５３】
プログラム情報［ＰｒｏｇｒａｍＩｎｆｏ（）］１０３には、クリップ情報ファイルによって再生されるクリップＡＶストリームの再生区間や時間区間の定義情報等を含むプログラム(ｐｒｏｇｒａｍ＿ｓｅｑｕｅｎｃｅ)に関する情報を記録する。
ＣＰＩ情報［ＣＰＩ（）］１０４には、例えばＩピクチャのプレゼンテーションタイムスタンプ（ＰＴＳ）のＥＰ（エントリポイント）の設定されたＥＰマップ等が記録される。
【０１５４】
このクリップ情報ファイルに対するパレンタル（Ｐａｒｅｎｔａｌ）情報の記録例として、以下の２つの例について、順次、説明する。
（実施例Ａ１）クリップ情報［ＣｌｉｐＩｎｆｏ（）］内のリザーブ領域にパレンタル（Ｐａｒｅｎｔａｌ）情報を記録する実施例
（実施例Ａ２）クリップ情報ファイルに新たにパレンタル（Ｐａｒｅｎｔａｌ）情報記録領域を追加して記録する実施例
以下、これらの２つの例について、順次、説明する。
【０１５５】
［６−１．（実施例Ａ１）クリップ情報［ＣｌｉｐＩｎｆｏ（）］内のリザーブ領域にパレンタル（Ｐａｒｅｎｔａｌ）情報を記録する実施例］
まず、クリップ情報［ＣｌｉｐＩｎｆｏ（）］内のリザーブ領域にパレンタル（Ｐａｒｅｎｔａｌ）情報を記録する実施例について説明する。
【０１５６】
先に図１７を参照して説明したように、クリップ情報［ＣｌｉｐＩｎｆｏ（）］１０１には、クリップ情報ファイルに対応するＡＶストリームファイルの属性情報を記録する。
図１８は、クリップ情報［ＣｌｉｐＩｎｆｏ（）］１０１のデータ構成（シンタクス）を示す図である。
【０１５７】
図１８に示すように、クリップ情報［ＣｌｉｐＩｎｆｏ（）］には、例えば以下の情報が記録される。
（Ｃ１）ストリームタイプ
（Ｃ２）エンコード情報
（Ｃ３）ＴＳリート情報
（Ｃ４）ソースパケット情報
【０１５８】
図１８に示すように、このクリップ情報［ＣｌｉｐＩｎｆｏ（）］には、利用されていない８ビットのリザーブ領域１０５が存在する。
このリザーブ領域１０５を利用してパレンタルレート情報を記録する。
【０１５９】
クリップ情報ファイルのクリップ情報［ＣｌｉｐＩｎｆｏ（）］のリザーブ領域（８ビット）をパレンタルレート（Ｒａｔｉｎｇ）情報の記録領域として設定した例を図１９に示す。
【０１６０】
図１９には、クリップ情報ファイルのクリップ情報［ＣｌｉｐＩｎｆｏ（）］の一部のデータ構成（シンタクス）と、クリップ情報［ＣｌｉｐＩｎｆｏ（）］に記録するパレンタルレート（Ｒａｔｉｎｇ）情報の詳細を説明する図を示している。
【０１６１】
図１９の上段に示すように、クリップ情報ファイルのクリップ情報［ＣｌｉｐＩｎｆｏ（）］のリザーブ領域をパレンタルレート（Ｒａｔｉｎｇ）１０６記録領域として設定する。
【０１６２】
パレンタルレート（Ｒａｔｉｎｇ）１０６には、このクリップ情報ファイルを利用して再生されるコンテンツ、すなわちクリップＡＶストリームファイルに格納されたコンテンツについて、
（１）再生許容最小年齢が規定されたコンテンツであるか、
（２）再生許容最小年齢が規定されたコンテンツである場合、再生許容最小年齢が何歳であるか、
上記の識別データが記録される。
【０１６３】
このパレンタルレート（Ｒａｔｉｎｇ）１０６の具体的な記録例と意味は、図１９（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０１６４】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
【０１６５】
Ｒａｔｉｎｇ＝０ｘ０１〜０ｘ０Ｆは、Ｒａｔｉｎｇ設定値が、
０ｘ０１＝１から、０ｘ０Ｆ＝１５
まで記録可能であり、
このフィールドの設定値１〜１５に対して、３歳〜１８歳の範囲で視聴許容最小年齢を設定できることを意味する。
このようなパレンタル（Ｐａｒｅｎｔａｌ）情報を含む再生制御情報を、クリップ情報ファイルに記録する。
【０１６６】
なお、この図１９（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０１６７】
このパレンタル（Ｐａｒｅｎｔａｌ）情報は、パレンタル（Ｐａｒｅｎｔａｌ）情報が記録されたクリップ情報ファイルに対応付けられたクリップＡＶストリームファイルの再生制御情報として利用される。
【０１６８】
ＢＤ等のメディアに記録されたコンテンツ、すなわちクリップＡＶストリームファイルに格納されたコンテンツを再生する場合、クリップＡＶストリームファイルの格納データが、ＭＰＥＧ−２ＴＳフォーマット、ＭＭＴフォーマットのいずれの場合でも、そのクリップＡＶストリームファイルに対応付けられたクリップ情報ファイルを参照して再生処理が実行される。
【０１６９】
再生処理を実行する再生装置は、クリップ情報ファイルに記録されたパレンタル（Ｐａｒｅｎｔａｌ）情報を参照して、このクリップ情報ファイルに対応付けられたクリップＡＶストリームファイルの格納コンテンツが、
（１）再生許容最小年齢が規定されたコンテンツであるか、
（２）再生許容最小年齢が規定されたコンテンツである場合、再生許容最小年齢が何歳であるか、
を判別することができる。
【０１７０】
さらに、クリップ情報ファイルに対応付けられたクリップＡＶストリームファイルの格納コンテンツが、再生許容最小年齢が規定されたコンテンツである場合、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０１７１】
なお、放送波、またはネットワークを介して受信したＭＰＥＧ−２ＴＳフォーマットデータ、あるいはＭＭＴフォーマットデータをＢＤ等の記録媒体に記録する記録装置は、以下の処理を実行する。
【０１７２】
すなわち、まず、先に図１２、図１３を参照して説明したＭＰＥＧ−２ＴＳフォーマット対応の制御情報として記録されたパレンタル情報、あるいは図１４、図１５を参照して説明したＭＭＴフォーマット対応の制御情報として記録されたパレンタル情報を取得する。
次に、このパレンタル情報をクリップ情報ファイルに記録してメディアに記録する処理を実行する。
すなわち、図１８、図１９に示す記録データを有するクリップ情報ファイルを生成してメディアに記録する処理を実行する。
【０１７３】
このような処理を行うことで、再生装置は、放送波、またはネットワークを介して受信したコンテンツに元々設定されたパレンタル情報に従った再生制御、具体的には、視聴者年齢に応じた再生制御を行うことが可能となる。
【０１７４】
［６−２．（実施例Ａ２）クリップ情報ファイルに新たにパレンタル（Ｐａｒｅｎｔａｌ）情報記録領域を追加して記録する実施例］
次に、クリップ情報ファイルに新たにパレンタル（Ｐａｒｅｎｔａｌ）情報記録領域を追加して記録する実施例について説明する。
【０１７５】
図２０は、本実施例のクリップ情報ファイルのデータ構成（シンタクス）を示す図である。
図２０に示すクリップ情報ファイルには、図１７を参照して説明したと同様の以下の各情報が記録される。
クリップ情報［ＣｌｉｐＩｎｆｏ（）］１０１、
シーケンス情報［ＳｅｑｕｅｎｃｅＩｎｆｏ（）］１０２、
プログラム情報［ＰｒｏｇｒａｍＩｎｆｏ（）］１０３、
ＣＰＩ情報［ＣＰＩ（）］１０４、
【０１７６】
さらに、図２０に示すクリップ情報ファイルには、以下の情報が記録される。
パレンタル情報［ＰａｒｅｎｔａｌＩｎｆｏ（）］１１０、
なお、クリップ情報ファイルの先頭領域には、パレンタル情報記録領域アドレス１１１を記録する。
【０１７７】
図２０に示すクリップ情報ファイルに記録するパレンタル情報［ＰａｒｅｎｔａｌＩｎｆｏ（）］１１０の具体的なデータ構成（シンタクス）について、図２１を参照して説明する。
【０１７８】
図２１に示すように、図２０に示すクリップ情報ファイルに記録されるパレンタル情報［ＰａｒｅｎｔａｌＩｎｆｏ（）］１１０には、以下の各データが含まれる。
データ長（ｌｅｎｇｔｈ）＝パレンタル情報のバイト数
レーティング（ｒａｔｉｎｇ）＝パレンタルレート（視聴制限年齢情報）１１３、
【０１７９】
具体的なコンテンツの年齢制限情報は、図に示すパレンタルレート（Ｒａｔｉｎｇ）１１３に記録される。
このパレンタルレート（Ｒａｔｉｎｇ）１１３の具体的な記録例と意味は、図２１（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０１８０】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
【０１８１】
Ｒａｔｉｎｇ＝０ｘ０１〜０ｘ０Ｆは、Ｒａｔｉｎｇ設定値が、
０ｘ０１＝１から、０ｘ０Ｆ＝１５
まで記録可能であり、
このフィールドの設定値１〜１５に対して、３歳〜１８歳の範囲で視聴許容最小年齢を設定できることを意味する。
このようなパレンタル（Ｐａｒｅｎｔａｌ）情報を含む再生制御情報を、クリップ情報ファイルに記録する。
【０１８２】
なお、この図２１（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０１８３】
このパレンタル（Ｐａｒｅｎｔａｌ）情報は、パレンタル（Ｐａｒｅｎｔａｌ）情報が記録されたクリップ情報ファイルに対応付けられたクリップＡＶストリームファイルの再生制御情報として利用される。
【０１８４】
ＢＤ等のメディアに記録されたコンテンツ、すなわちクリップＡＶストリームファイルに格納されたコンテンツを再生する場合、クリップＡＶストリームファイルの格納データが、ＭＰＥＧ−２ＴＳフォーマット、ＭＭＴフォーマットのいずれの場合でも、そのクリップＡＶストリームファイルに対応付けられたクリップ情報ファイルを参照して再生処理が実行される。
【０１８５】
再生処理を実行する再生装置は、クリップ情報ファイルに記録されたパレンタル（Ｐａｒｅｎｔａｌ）情報を参照して、このクリップ情報ファイルに対応付けられたクリップＡＶストリームファイルの格納コンテンツが、
（１）再生許容最小年齢が規定されたコンテンツであるか、
（２）再生許容最小年齢が規定されたコンテンツである場合、再生許容最小年齢が何歳であるか、
を判別することができる。
【０１８６】
さらに、クリップ情報ファイルに対応付けられたクリップＡＶストリームファイルの格納コンテンツが、再生許容最小年齢が規定されたコンテンツである場合、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０１８７】
なお、放送波、またはネットワークを介して受信したＭＰＥＧ−２ＴＳフォーマットデータ、あるいはＭＭＴフォーマットデータをＢＤ等の記録媒体に記録する記録装置は、以下の処理を実行する。
【０１８８】
すなわち、まず、先に図１２、図１３を参照して説明したＭＰＥＧ−２ＴＳフォーマット対応の制御情報として記録されたパレンタル情報、あるいは図１４、図１５を参照して説明したＭＭＴフォーマット対応の制御情報として記録されたパレンタル情報を取得する。
次に、このパレンタル情報をクリップ情報ファイルに記録してメディアに記録する処理を実行する。
すなわち、図２０、図２１に示す記録データを有するクリップ情報ファイルを生成してメディアに記録する処理を実行する。
【０１８９】
このような処理を行うことで、再生装置は、放送波、またはネットワークを介して受信したコンテンツに元々設定されたパレンタル情報に従った再生制御、具体的には、視聴者年齢に応じた再生制御を行うことが可能となる。
【０１９０】
［７．プレイリストファイルに対するパレンタル（Ｐａｒｅｎｔａｌ）情報の記録例について］
次に、プレイリストファイルにパレンタル（Ｐａｒｅｎｔａｌ）情報を記録した例について説明する。
【０１９１】
以下において説明する構成は、
ＢＤ等のメディアに記録したコンテンツ（クリップＡＶストリームファイル内のコンテンツ）の再生制御情報を記録したプレイリストファイルに、このプレイリストを適用した再生対象コンテンツが、
（１）再生許容最小年齢が規定されたコンテンツであるか、
（２）再生許容最小年齢が規定されたコンテンツである場合、再生許容最小年齢が何歳であるか、
上記の識別データ、すなわちパレンタル（Ｐａｒｅｎｔａｌ）情報を記録した構成である。
【０１９２】
まず、図２２を参照してプレイリストファイルのデータ構成（シンタクス）について説明する。
【０１９３】
先に説明したように、プレイリストファイルには、そのプレイリストを適用して再生されるデータに関する情報が記録される。具体的には、例えばコンテンツの再生順等を規定しており、再生位置情報等を記録したクリップ情報ファイルの指定情報等を有する。
【０１９４】
図２２は、１つのプレイリストのデータ構成（シンタクス）を示す図である。
図２２に示すプレイリストの主な記録データについて説明する。
バージョンナンバ（ｖｅｒｓｉｏｎ＿ｎｕｍｂｅｒ）は、このプレイリストのバージョンナンバを示す。
レングス（ｌｅｎｇｔｈ）は、このレングスフィールドの直後からプレイリストファイル構成データの最後までのバイト数を示す。
【０１９５】
ユーザインタフェースアプリケーション情報［ＵＩＡｐｐＩｎｆｏＰｌａｙＬｉｓｔ］１２１は、このプレイリストについてのユーザインタフェースアプリケーションのパラメータを記録する領域である。
このフィールドに、例えば図１６を参照して説明した録画コンテンツ（番組）リストの表示に適用するデータが記録される。
【０１９６】
このプレイリストファイルに対するパレンタル（Ｐａｒｅｎｔａｌ）情報の記録例として、以下の２つの例について、順次、説明する。
（実施例Ｂ１）ユーザインタフェースアプリケーション情報［ＵＩＡｐｐＩｎｆｏＰｌａｙＬｉｓｔ］内のリザーブ領域にパレンタル（Ｐａｒｅｎｔａｌ）情報を記録する実施例
（実施例Ｂ２）プレイリストファイルに新たにパレンタル（Ｐａｒｅｎｔａｌ）情報記録領域を追加して記録する実施例
以下、これらの２つの例について、順次、説明する。
【０１９７】
［７−１．（実施例Ｂ１）ユーザインタフェースアプリケーション情報［ＵＩＡｐｐＩｎｆｏＰｌａｙＬｉｓｔ］内のリザーブ領域にパレンタル（Ｐａｒｅｎｔａｌ）情報を記録する実施例］
まず、ユーザインタフェースアプリケーション情報［ＵＩＡｐｐＩｎｆｏＰｌａｙＬｉｓｔ］内のリザーブ領域にパレンタル（Ｐａｒｅｎｔａｌ）情報を記録する実施例について説明する。
【０１９８】
図２２を参照して説明したように、ユーザインタフェースアプリケーション情報［ＵＩＡｐｐＩｎｆｏＰｌａｙＬｉｓｔ］１２１は、プレイリストについてのユーザインタフェースアプリケーションのパラメータを記録する領域である。
このフィールドに、例えば図１６を参照して説明した録画コンテンツ（番組）リストの表示に適用するデータが記録される。
このユーザインタフェースアプリケーション情報［ＵＩＡｐｐＩｎｆｏＰｌａｙＬｉｓｔ］１２１の詳細について、図２３を参照して説明する。
【０１９９】
図２３は、ユーザインタフェースアプリケーション情報［ＵＩＡｐｐＩｎｆｏＰｌａｙＬｉｓｔ］１２１のデータ構成（シンタクス）を示す図である。
【０２００】
ユーザインタフェースアプリケーション情報［ＵＩＡｐｐＩｎｆｏＰｌａｙＬｉｓｔ］１２１には、図２３に示すように、例えば、以下のデータが記録される。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらの情報は、いずれも図１６に示す録画コンテンツ（番組）リストの表示データとして利用可能なデータとなる。
【０２０１】
（Ｐ１）録画日時（ｒｅｃｏｒｄ＿ｔｉｍｅ＿ａｎｄ＿ｄａｔｅ）
このフィールドは、このプレイリストの再生制御対象コンテンツ（再生対象となるストリームファイル格納コンテンツ）の記録開始日時を記録する４×１４＝５６ビットのフィールドである。このフィールドは、年／月／日／時／分／秒について、１４個の数字を４ビットのＢｉｎａｒｙ  Ｃｏｄｅｄ  Ｄｅｃｉｍａｌ（ＢＣＤ）で符号化したものである。
例えば、２０１６／０７／０１：０１：０２：０３は、［０ｘ２０１６０７０１０１０２０３］として記録される。
【０２０２】
（Ｐ２）チャンネル番号（ｃｈａｎｎｅｌ＿ｎｕｍｂｅｒ）
このフィールドは、このプレイリストの再生制御対象コンテンツ（再生対象となるストリームファイル格納コンテンツ）提供主体のチャネル番号またはサービス番号を示す。
（Ｐ３）チャンネル名（ｃｈａｎｎｅｌ＿ｎａｍｅ）
このフィールドは、このプレイリストの再生制御対象コンテンツ（再生対象となるストリームファイル格納コンテンツ）提供主体のチャネル名またはサービス名を示す。
【０２０３】
（Ｐ４）録画番組名（Ｐｌａｙｌｉｓｔ＿ｎａｍｅ）
このフィールドは、このプレイリストの名前であり、多くの場合、プレイリストの再生制御対象コンテンツ（再生対象となるストリームファイル格納コンテンツ）のタイトル（番組）名が記録される。
（Ｐ５）録画番組詳細（Ｐｌａｙｌｉｓｔ＿ｄｅｔａｉｌ）
このフィールドは、このプレイリストの再生制御対象コンテンツ（再生対象となるストリームファイル格納コンテンツ）の詳細情報であり、例えば番組ジャンルや出演者等の情報が記録される。
【０２０４】
このように、ＢＤＡＶフォーマットで規定されるプレイリストファイルには、先に図１６を参照して説明した録画コンテンツ（番組）リストの表示データとして利用可能なデータとして、以下の各情報が記録される。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
図１６に示す録画コンテンツ（番組）リストを表示するためには、録画処理に際して、これらの各データを記録したプレイリストファイルを生成することが必要となる。
【０２０５】
例えば放送局からの配信コンテンツ（番組）をＭＰＥＧ−２ＴＳフォーマット、あるいはＭＭＴフォーマットデータで受信し、受信コンテンツを情報記録媒体（メディア）に記録する情報処理装置は、受信データから、上記の（Ｐ１）〜（Ｐ５）に相当するデータを抽出して、これらのデータを記録したプレイリストファイルを生成する。
【０２０６】
しかし、この図２３に示すプレイリストファイルのユーザインタフェースアプリケーション情報［ＵＩＡｐｐＩｎｆｏＰｌａｙＬｉｓｔ］には、コンテンツの再生許容最小年齢等のパレンタル（Ｐａｒｅｎｔａｌ）情報の記録領域が設定されていない。
【０２０７】
そこで図２３に示すプレイリストファイルののユーザインタフェースアプリケーション情報［ＵＩＡｐｐＩｎｆｏＰｌａｙＬｉｓｔ］のリザーブ領域１２２の一部を利用してパレンタルレート情報を記録する。
図２３に示すリザーブ領域１２２には１６ビットの空き領域が設定されている。
この１６ビット中、８ビットをパレンタルレート（Ｒａｔｉｎｇ）情報の記録領域とする。
【０２０８】
プレイリストファイルのユーザインタフェースアプリケーション情報［ＵＩＡｐｐＩｎｆｏＰｌａｙＬｉｓｔ］のリザーブ領域１２２の一部（８ビット）をパレンタルレート（Ｒａｔｉｎｇ）情報の記録領域として設定した例を図２４に示す。
【０２０９】
図２４には、プレイリストファイルのユーザインタフェースアプリケーション情報［ＵＩＡｐｐＩｎｆｏＰｌａｙＬｉｓｔ］の一部のデータ構成（シンタクス）と、ユーザインタフェースアプリケーション情報［ＵＩＡｐｐＩｎｆｏＰｌａｙＬｉｓｔ］に記録するパレンタルレート（Ｒａｔｉｎｇ）情報の詳細を説明する図を示している。
【０２１０】
図２４の上段に示すように、プレイリストファイルのユーザインタフェースアプリケーション情報［ＵＩＡｐｐＩｎｆｏＰｌａｙＬｉｓｔ］のリザーブ領域１２２の一部（８ビット）をパレンタルレート（Ｒａｔｉｎｇ）１２３の記録領域として設定する。
【０２１１】
パレンタルレート（Ｒａｔｉｎｇ）１２３には、このプレイリストを利用して再生されるコンテンツ、すなわちクリップＡＶストリームファイルに格納されたコンテンツについて、
（１）再生許容最小年齢が規定されたコンテンツであるか、
（２）再生許容最小年齢が規定されたコンテンツである場合、再生許容最小年齢が何歳であるか、
上記の識別データが記録される。
【０２１２】
このパレンタルレート（Ｒａｔｉｎｇ）１２３の具体的な記録例と意味は、図２４（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０２１３】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
【０２１４】
Ｒａｔｉｎｇ＝０ｘ０１〜０ｘ０Ｆは、Ｒａｔｉｎｇ設定値が、
０ｘ０１＝１から、０ｘ０Ｆ＝１５
まで記録可能であり、
このフィールドの設定値１〜１５に対して、３歳〜１８歳の範囲で視聴許容最小年齢を設定できることを意味する。
このようなパレンタル（Ｐａｒｅｎｔａｌ）情報を含む再生制御情報を、プレイリストファイルに記録する。
【０２１５】
なお、この図２４（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０２１６】
なお、このパレンタル（Ｐａｒｅｎｔａｌ）情報は、パレンタル（Ｐａｒｅｎｔａｌ）情報が記録されたプレイリストファイルに対応付けられたクリップ（クリップ情報ファイルとクリップＡＶストリームファイル）によって特定されるコンテンツの再生制御情報として利用される。
【０２１７】
しかし、１つのプレイリストファイルに対応付けられたクリップ（クリップ情報ファイルとクリップＡＶストリーム）は、複数、存在する場合がある。すなわち、１つのプレイリストファイルを利用して再生されるデータを格納したクリップＡＶストリームファイルは複数存在する可能性がある。
【０２１８】
これら複数のクリップＡＶストリームファイルの格納コンテンツは、視聴許容最小年齢が同一であるとは限らない。
具体例について、図２５を参照して説明する。
【０２１９】
図２５には、１つのプレイリストファイルに記録された複数のプレイアイテム、すなわち、４つのプレイアイテム０〜３を示している。
４つのプレイアイテム０〜３の各々には、個別のクリップ情報ファイルが対応付けられており、さらに各クリップ情報ファイルに対応づけられたクリップＡＶストリームファイルの格納コンテンツが再生される。
【０２２０】
しかし、各クリップ情報ファイルに対応づけられたクリップＡＶストリームファイルの格納コンテンツは、図に示すように、コンテンツの再生を許容する再生年齢制限情報が異なる。
図に示す例では、以下の設定である。
プレイアイテム０−クリップ情報０による再生対象コンテンツの再生許容年齢の制限＝１５歳以上の場合に再生を許容
プレイアイテム１−クリップ情報１による再生対象コンテンツの再生許容年齢の制限＝制限なし
プレイアイテム２−クリップ情報２による再生対象コンテンツの再生許容年齢の制限＝１８歳以上の場合に再生を許容
プレイアイテム３−クリップ情報３による再生対象コンテンツの再生許容年齢の制限＝制限なし
【０２２１】
このように、１つのプレイリストファイルを適用した再生対象コンテンツの再生許容年齢が異なる場合がある。
このような場合、プレイリストファイルには、再生対象コンテンツ中、最も厳しい再生許容年齢制限を持つコンテンツに設定された再生許容年齢を反映したパレンタル（Ｐａｒｅｎｔａｌ）情報、すなわち、パレンタルレート（Ｒａｔｉｎｇ）を記録する。
【０２２２】
図２５に示す例では、
プレイアイテム２−クリップ情報２による再生対象コンテンツの再生許容年齢の制限＝「１８歳以上の場合に再生を許容」
このコンテンツが最も厳しい制限情報であり、プレイリストファイルには、再生許容最小年齢＝１８歳以上としたパレンタルレート（Ｒａｔｉｎｇ）を記録する。
【０２２３】
放送波、またはネットワークを介して受信したＭＰＥＧ−２ＴＳフォーマットデータ、あるいはＭＭＴフォーマットデータをＢＤ等の記録媒体に記録する記録装置は、以下の処理を実行する。
【０２２４】
まず、１つのプレイリストファイルに対応付けられるクリップ情報ファイルとクリップＡＶストリームファイルを選択し、選択したクリップＡＶストリームファイルの格納コンテンツに対応付けられた制御情報を取得する。
すなわち、先に図１２、図１３を参照して説明したＭＰＥＧ−２ＴＳフォーマット対応の制御情報として記録されたパレンタル情報、あるいは図１４、図１５を参照して説明したＭＭＴフォーマット対応の制御情報として記録されたパレンタル情報を取得する。
【０２２５】
次に選択した複数のクリップＡＶストリームファイル対応の複数のパレンタル情報から、最も厳しい年齢制限を持つパレンタル情報を選択して、これをプレイリストファイルに記録してメディアに記録する処理を実行する。
すなわち、図２４に示す記録データを有するプレイリストファイルを生成してメディアに記録する処理を実行する。
【０２２６】
このような処理を行うことで、再生装置は、放送波、またはネットワークを介して受信したコンテンツに元々設定されたパレンタル情報に従った再生制御、具体的には、視聴者年齢に応じた再生制御を行うことが可能となる。
【０２２７】
ＢＤ等のメディアに記録されたコンテンツ、すなわちクリップＡＶストリームファイルに格納されたコンテンツを再生する場合、クリップＡＶストリームファイルの格納データが、ＭＰＥＧ−２ＴＳフォーマット、ＭＭＴフォーマットのいずれの場合でも、そのクリップＡＶストリームファイルに対応付けられたプレイリストファイルを参照して再生処理が実行される。
【０２２８】
再生処理を実行する再生装置は、プレイリストファイルに記録されたパレンタル（Ｐａｒｅｎｔａｌ）情報を参照して、このプレイリストファイルに対応付けられたクリップＡＶストリームファイルの格納コンテンツが、
（１）再生許容最小年齢が規定されたコンテンツであるか、
（２）再生許容最小年齢が規定されたコンテンツである場合、再生許容最小年齢が何歳であるか、
を判別することができる。
【０２２９】
さらに、プレイリストファイルに対応付けられたクリップＡＶストリームファイルの格納コンテンツが、再生許容最小年齢が規定されたコンテンツである場合、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０２３０】
図２６は、パレンタル情報が記録されたプレイリストファイルを参照してテレビ等の再生装置の表示部に表示可能となるコンテンツリスト（録画番組リスト）の例である。
【０２３１】
先に図１６を参照して説明したコンテンツリストと同様、コンテンツリストには、タイトル名、録画日時、放送局、付属情報が表示され、さらに、
再生許容最小年齢情報を表示することが可能となる。
再生許容最小年齢情報は、プレイリストファイルに記録されたパレンタル情報を参照して表示可能となる情報である。
ユーザ（視聴者）は、このコンテンツリストに基づいて、このプレイリストファイルの再生許容最小年齢を確認することが可能となる。
【０２３２】
［７−２．（実施例Ｂ２）プレイリストファイルに新たにパレンタル（Ｐａｒｅｎｔａｌ）情報記録領域を追加して記録する実施例］
次に、プレイリストファイルに新たにパレンタル（Ｐａｒｅｎｔａｌ）情報記録領域を追加して記録する実施例について説明する。
【０２３３】
プレイリストファイルに対するパレンタル（Ｐａｒｅｎｔａｌ）情報の記録態様としては、上記の他、例えば、図２７に示すように、プレイリストファイルに対する新たな記録情報領域として、パレンタル情報１２５記録領域を追加する設定としてもよい。
【０２３４】
図２７に示すプレイリストファイルは、先に図２２を参照して説明したプレイリストファイルと同様のデータが記録され、さらに、以下の情報が記録される。
パレンタル情報［ＰａｒｅｎｔａｌＩｎｆｏ（）］１２５、
なお、プレイリストファイルの先頭領域には、パレンタル情報記録領域アドレス１２６を記録する。
【０２３５】
図２７に示すプレイリストファイルに記録するパレンタル情報［ＰａｒｅｎｔａｌＩｎｆｏ（）］１２５の具体的なデータ構成（シンタクス）について、図２８を参照して説明する。
【０２３６】
図２８に示すように、図２７に示すプレイリストファイルに記録されるパレンタル情報［ＰａｒｅｎｔａｌＩｎｆｏ（）］１２５には、以下の各データが含まれる。
データ長（ｌｅｎｇｔｈ）＝パレンタル情報のバイト数
レーティング（ｒａｔｉｎｇ）＝パレンタルレート（視聴制限年齢情報）１２７、
【０２３７】
具体的なコンテンツの年齢制限情報は、図に示すパレンタルレート（Ｒａｔｉｎｇ）１２７に記録される。
このパレンタルレート（Ｒａｔｉｎｇ）１２７の具体的な記録例と意味は、図２７（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０２３８】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
【０２３９】
Ｒａｔｉｎｇ＝０ｘ０１〜０ｘ０Ｆは、Ｒａｔｉｎｇ設定値が、
０ｘ０１＝１から、０ｘ０Ｆ＝１５
まで記録可能であり、
このフィールドの設定値１〜１５に対して、３歳〜１８歳の範囲で視聴許容最小年齢を設定できることを意味する。
このようなパレンタル（Ｐａｒｅｎｔａｌ）情報を含む再生制御情報を、プレイリストファイルに記録する。
【０２４０】
なお、この図２８（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０２４１】
なお、この（実施例Ｂ２）においても、先に説明した（実施例Ｂ１）と同様、１つのプレイリストファイルを利用して再生されるコンテンツ（クリップＡＶストリー無ファイル）が複数ある場合があり、この場合には、最も厳しい年齢制限の値を選択してプレイリストファイルに記録する。
【０２４２】
このような処理を行うことで、再生装置は、放送波、またはネットワークを介して受信したコンテンツに元々設定されたパレンタル情報に従った再生制御、具体的には、視聴者年齢に応じた再生制御を行うことが可能となる。
【０２４３】
［８．パスコード入力による視聴制限の解除を可能とした構成例について］
次に、パスコード入力による視聴制限の解除を可能とした構成例について説明する。
【０２４４】
上述した実施例は、クリップ情報ファイル、またはプレイリストファイルの少なくともいずれかに、パレンタル（Ｐａｒｅｎｔａｌ）情報を記録する構成である。
この構成とすることで、再生装置は、プレイリストファイル、あるいはクリップ情報ファイル等のデータベースファイルを参照して、これらのデータベースファイルに対応付けられたクリップＡＶストリームファイルの格納コンテンツが、
（１）再生許容最小年齢が規定されたコンテンツであるか、
（２）再生許容最小年齢が規定されたコンテンツである場合、再生許容最小年齢が何歳であるか、
これらの情報を取得して、再生制御を行うことができる。
【０２４５】
プレイリストファイルやクリップ情報ファイルに対応付けられたクリップＡＶストリームファイルの格納コンテンツが、再生許容最小年齢が規定されたコンテンツである場合、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０２４６】
以下、この再生制限を、予め規定したパスコードの入力によって解除可能とした実施例について説明する。
【０２４７】
図２９は、先に、図２３を参照して説明したと同様の図であり、プレイリストファイルのユーザインタフェースアプリケーション情報［ＵＩＡｐｐＩｎｆｏＰｌａｙＬｉｓｔ］のデータ構成（シンタクス）を示す図である。
【０２４８】
ユーザインタフェースアプリケーション情報［ＵＩＡｐｐＩｎｆｏＰｌａｙＬｉｓｔ］には、図２９に示すように、例えば、以下のデータが記録される。
（Ｐ１）録画日時（ｒｅｃｏｒｄ＿ｔｉｍｅ＿ａｎｄ＿ｄａｔｅ）
（Ｐ２）チャンネル番号（ｃｈａｎｎｅｌ＿ｎｕｍｂｅｒ）
（Ｐ３）チャンネル名（ｃｈａｎｎｅｌ＿ｎａｍｅ）
（Ｐ４）録画番組名（Ｐｌａｙｌｉｓｔ＿ｎａｍｅ）
（Ｐ５）録画番組詳細（Ｐｌａｙｌｉｓｔ＿ｄｅｔａｉｌ）
これらの情報は、いずれも図２６に示す録画コンテンツ（番組）リストの表示データとして利用可能なデータとなる。
【０２４９】
図２９に示すように、プレイリストファイルのユーザインタフェースアプリケーション情報［ＵＩＡｐｐＩｎｆｏＰｌａｙＬｉｓｔ］には、
再生制限フラグ［Ｐｌａｙｂａｃｋ＿ｐｒｏｔｅｃｔ＿ｆｌａｇ］１３１、
の記録領域が設けられている。
このフィールドは、このプレイリストファイルを利用した再生対象コンテンツに関する再生制限が有効であるか、無効であるかを設定することを可能としたフラグを記録することができる。
例えば、
再生制限フラグ＝１であれば、再生制限は有効、
再生制限フラグ＝０であれば、再生制限は無効、
このような設定である。
【０２５０】
なお、図２９に示す再生制限フラグ［Ｐｌａｙｂａｃｋ＿ｐｒｏｔｅｃｔ＿ｆｌａｇ］１３１は、プレイリストファイル内に記録されるフラグであり、そのプレイリストによって再生対象となるコンテンツのみに有効となる。
【０２５１】
上述したプレイリストやクリップ情報ファイルに記録したパレンタル（Ｐａｒｅｎｔａｌ）情報についても、このフラグの設定値を変更することで、パレンタル情報に従った再生制限の有効化、無効化を切り替えることが可能となる。
【０２５２】
例えば、
再生制限フラグ＝１であれば、このプレイリスト、またはこのプレイリストに対応付けられたクリップ情報ファイルに記録されたパレンタル情報（再生制限）は有効、
再生制限フラグ＝０であれば、このプレイリスト、またはこのプレイリストに対応付けられたクリップ情報ファイルに記録されたパレンタル情報（再生制限）は無効、
このような切り替えが可能となる。
【０２５３】
しかし、誰でもフラグ設定を自由に変更可能としてしまうと、パレンタル（Ｐａｒｅｎｔａｌ）情報の設定の意味がなくなってしまうので、予め規定したパスコードに基づく認証を実行して、パスコード認証が成立した場合にのみフラグ設定を変更できるようにする。
【０２５４】
このパスコードは、予め登録することが必要となる。
パスコードは、例えば再生装置内のメモリに格納する構成、あるいは、コンテンツを記録したメディア内に記録する構成のいずれかの構成が可能である。
【０２５５】
コンテンツを記録したメディア内にパスコードを記録する構成とした場合のパスコード記録位置の例について、図３０、図３１を参照して説明する。
【０２５６】
図３０は、ＢＤＡＶディレクトリ（図１１参照）の最上位に設定されるデータベースファイルであるＢＤＡＶ管理情報ファイル［ｉｎｆｏ．ｂｄａｖ］のデータ構成（シンタクス）を示す図である。
【０２５７】
ＢＤＡＶ管理情報ファイル［ｉｎｆｏ．ｂｄａｖ］には、ＢＤＡＶディレクトリに設定される様々なデータの位置情報などのＢＤＡＶディレクトリ全体の統括的な管理情報が記録される。
記録情報の一つに図３０に示すＵＩアプリケーション情報［ＵＩＡｐｐＩｎｆｏＢＤＡＶ（）］１３２がある。
【０２５８】
ＵＩアプリケーション情報［ＵＩＡｐｐＩｎｆｏＢＤＡＶ（）］１３２のデータ構成（シンタクス）を図３１に示す。
図３１に示すように、ＵＩアプリケーション情報［ＵＩＡｐｐＩｎｆｏＢＤＡＶ（）］１３２内にＰＩＮコード（パスコード）１３３記録領域が設定されている。
このフィールドに、図２９を参照して説明したプレイリストファイル内の、
再生制限フラグ［Ｐｌａｙｂａｃｋ＿ｐｒｏｔｅｃｔ＿ｆｌａｇ］１３１、
の設定を変更する際のパスコード（数値列）を記録する。
例えば１０進数で４ケタの数値列を記録する設定とする。
【０２５９】
ＢＤ等のコンテンツ格納メディアを装着した情報処理装置は、例えば、図２９に示すプレイリストファイルの再生制限フラグ［Ｐｌａｙｂａｃｋ＿ｐｒｏｔｅｃｔ＿ｆｌａｇ］１３１の設定値の変更処理に際して、以下の処理を行う。
フラグ設定を変更しようとするユーザに対して、パスコード入力を求める。
入力されたパスコードと、図３１に示すＵＩアプリケーション情報［ＵＩＡｐｐＩｎｆｏＢＤＡＶ（）］１３２内のＰＩＮコード（パスコード）１３３記録領域に記録されたパスコードを照合する。
照合が成立した場合のみ、プレイリストファイルの再生制限フラグ［Ｐｌａｙｂａｃｋ＿ｐｒｏｔｅｃｔ＿ｆｌａｇ］１３１の設定値の変更を許容する。
【０２６０】
このような処理を行うことで、パスコードを知っているユーザのみがパレンタル情報の有効化処理、あるいは無効化処理の設定変更を行うことが可能となる。
【０２６１】
［９．パレンタル（Ｐａｒｅｎｔａｌ）情報を利用制御情報ファイル（Ｕｓａｇｅ  Ｆｉｌｅ）に記録する実施例］
次に、パレンタル（Ｐａｒｅｎｔａｌ）情報を利用制御情報ファイル（Ｕｓａｇｅ  Ｆｉｌｅ）に記録する実施例について説明する。
【０２６２】
上述した実施例では、プレイリストファイルやクリップ情報ファイルにパレンタル（Ｐａｒｅｎｔａｌ）情報を記録する例を説明した。
しかし、プレイリストファイルやクリップ情報ファイル内の記録データは、書き換えられ、改ざんされる可能性がある。
このような改ざんを防止する構成として、パレンタル情報を利用制御情報ファイル（Ｕｓａｇｅ  Ｆｉｌｅ）に記録する実施例について説明する。
【０２６３】
図３２は、この実施例に従った、情報処理装置３０の実行する処理の概要を説明する図である。
情報処理装置３０は放送局等の送信装置２０から、ＭＭＴフォーマットデータを受信する。受信データはＭＭＴＰパケットを格納したＴＬＶパケット列によって構成される。
【０２６４】
情報処理装置３０は、この受信データを情報記録媒体（メディア）４０に記録する。
記録処理は、例えばＢＤＡＶフォーマットデータを生成して行われる。ＢＤＡＶフォーマットデータを構成するクリップＡＶストリームファイルは、先に説明したように、ＭＰＥＧ−２ＴＳフォーマットに従ったＴＳパケット、あるいはＭＭＴフォーマットに従ったＭＭＴＰパケット列、またはＴＬＶパケット列によって構成される。
【０２６５】
本実施例では、図３２の下部に示すように、クリップＡＶストリームファイルの他、プレイリストやクリップ情報ファイル等のデータベースファイル、さらに利用制御情報ファイル（Ｕｓａｇｅ  Ｆｉｌｅ）１５１を生成して、この利用制御情報ファイル１５１にパレンタル（Ｐａｒｅｎｔａｌ）情報を記録してコンテンツとともに、情報記録媒体（メディア）に記録する。
【０２６６】
利用制御情報ファイル１５１の記録データの例について、図３３を参照して説明する。
図３３に示すように、情報処理装置３０は、利用制御情報ファイル１５１に、例えば、以下のデータを記録して情報記録媒体（メディア）４０に記録する。
（ａ）ＥＰＮ（１ビット）：コピー処理時の出力データ暗号化要否情報
（ｂ）ＣＣＩ（２ビット）：コピー制御情報
（ｃ）Ｍｏｖｅ＿Ｎｏｔ＿Ａｌｌｏｗｅｄ（１ビット）：ムーブ処理許容情報
（ｄ）Ｔｒｕｓｔｅｄ＿Ｓｏｕｒｃｅ＿Ｍａｒｋ＿Ｓｃｒｅｅｎｉｎｇ＿Ｒｅｑｕｉｒｅｄ（１ビット）：ソース確認処理（電子透かし（Ｗａｔｅｒｍａｒｋ）検出処理）要否情報
（ｅ）Ｄｉｇｉｔａｌ＿Ｏｕｔｐｕｔ＿Ｆｌａｇ（１ビット）：デジタル出力許容規格情報
【０２６７】
さらに、以下のパレンタル（Ｐａｒｅｎｔａｌ）レート１５２を記録する。
（ｆ）パレンタル（Ｐａｒｅｎｔａｌ）レート１５２は、８ビットデータであり、この利用制御情報ファイルに対応付けられたコンテンツ、すなわちクリップＡＶストリームファイルに格納されたコンテンツについて、
（１）再生許容最小年齢が規定されたコンテンツであるか、
（２）再生許容最小年齢が規定されたコンテンツである場合、再生許容最小年齢が何歳であるか、
上記の識別データが記録される。
【０２６８】
このパレンタルレート（Ｒａｔｉｎｇ）１５２の具体的な記録例と意味は、図３４（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０２６９】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
なお、この図３４（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０２７０】
なお、利用制御情報ファイル（Ｕｓａｇｅ  Ｆｉｌｅ）に記録するこれらのデータは、例えば番組単位等、所定のコンテンツ区分ごとに記録可能であり、１つの利用制御情報ファイル１５１に複数のコンテンツ（番組）各々に対応する上記（ａ）〜（ｅ）のコピー制御情報、（ｆ）パレンタル情報等のデータを列挙して記録することができる。
【０２７１】
なお、利用制御情報ファイル１５１の構成データは、クリップＡＶストリームファイルに格納された暗号化コンテンツの復号に適用する鍵（タイトル鍵）の生成情報として利用される。
【０２７２】
これは、ＢＤＡＶフォーマットデータの再生処理を規定したＡＡＣＳ（Ａｄｖａｎｃｅｄ  Ａｃｃｅｓｓ  Ｃｏｎｔｅｎｔ  Ｓｙｓｔｅｍ）の規定である。ＢＤＡＶフォーマットデータの再生処理は、ＡＡＣＳの規定に従った暗号化コンテンツの復号、再生シーケンスを実行して行うことが必要となる。このＡＡＣＳ規定の復号シーケンスの１つの処理ステップとして利用制御情報ファイル１５１の構成データを適用したタイトル鍵生成処理が含まれる。
【０２７３】
利用制御情報ファイル１５１の構成データが変更、すなわち改ざんされると、正しいタイトル鍵の生成が不可能となり、結果としてメディアに記録されたクリップＡＶストリームファイルに格納された暗号化コンテンツの復号、再生を行うことができなくなる。
【０２７４】
すなわち、利用制御情報ファイル１５１の構成データであるパレンタル（Ｐａｒｅｎｔａｌ）情報が改ざんされると、クリップＡＶストリームファイルに格納された暗号化コンテンツの復号、再生を行うことができなくなる。
【０２７５】
本実施例は、パレンタル（Ｐａｒｅｎｔａｌ）情報を利用制御情報ファイル１５１の構成データと設定することで、パレンタル（Ｐａｒｅｎｔａｌ）情報の改ざんを防止し、パレンタル（Ｐａｒｅｎｔａｌ）情報の厳格な適用を実現可能としたものである。
【０２７６】
［１０．パレンタル（Ｐａｒｅｎｔａｌ）情報をクリップＡＶストリームファイルの格納パケットのヘッダに記録する実施例］
次に、パレンタル（Ｐａｒｅｎｔａｌ）情報をクリップＡＶストリームファイルの格納パケットのヘッダに記録する実施例について説明する。
【０２７７】
まず、本実施例の前提となる構成の概要、すなわちコピー制御情報を記録した追加ヘッダについて、図３５、図３６を参照して説明する。
本開示の構成では、放送局等の送信装置からの送信データを入力して、メディアに対するデータ記録を実行する情報処理装置が、入力ＭＭＴフォーマットデータに含まれるサービス記述テーブル（ＭＨ−ＳＤＴ）を取得し、サービス記述テーブル（ＭＨ−ＳＤＴ）に記録されたコピー制御情報を読み取る。
【０２７８】
さらに、情報処理装置は、サービス記述テーブル（ＭＨ−ＳＤＴ）から取得したコピー制御情報を記録したヘッダ（追加ヘッダ）を生成して、各ＴＬＶパケットの先頭、または各ＭＭＴＰパケットの先頭に挿入して、メディアに記録する。
【０２７９】
図３５は、メディアに記録するクリップＡＶストリームファイル内のパケット列がＴＬＶパケット列である場合の処理例を示す図である。
放送局等の送信装置からの送信データを入力して、メディアに対するデータ記録（初期記録）を実行する情報処理装置は、図３５に示すように、メディアに記録する各ＴＬＶパケット１６０の先頭部分に、追加ヘッダ（ＴＬＶパケット追加ヘッダ１６１）を設定して、メディアに記録する。
【０２８０】
ＴＬＶパケット追加ヘッダ１６１には、後続のＴＬＶパケット１６０の格納データに対応するコピー制御情報が記録される。
具体的には、例えば、
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化情報（ｅｎｃｒｙｐｔｉｏｎ＿ｍｏｄｅ）
（Ｃ）暗号化フラグ（ｅｎｃｒｙｐｔｉｏｎ＿ｆｌａｇ）
（Ｄ）コピー数制限情報（ｃｏｐｙ＿ｒｅｓｔｒｉｃｔｉｏｎ＿ｍｏｄｅ）
これらの各値を記録した追加ヘッダを記録する。
【０２８１】
この追加ヘッダをメディアに記録することで、コピー処理を実行するコピー装置（情報処理装置）は、追加ヘッダの記録内容に基づいて後続のＴＬＶパケットの格納データについてのコピー制御を行うことが可能となる。
【０２８２】
さらに、本実施例においては、このＴＬＶパケット追加ヘッダ１６１にパレンタル（Ｐａｒｅｎｔａｌ）情報を記録する。
追加ヘッダに記録されたパレンタル情報に基づいて後続のＴＬＶパケットの格納データについての再生制御を行うことが可能となる。
【０２８３】
図３５に示す例は、メディアに記録するクリップＡＶストリームファイルの構成データをＴＬＶパケット列とした場合の処理例である。
次に、メディアに記録するクリップＡＶストリームファイルの構成データを、ＭＭＴＰパケット列とした場合の追加ヘッダの設定例について、図３６を参照して説明する。
この場合、放送局等の送信装置からの送信データを入力して、メディアに対するデータ記録（期記録）を実行する情報処理装置は、図３６に示すように、メディアに記録する各ＭＭＴＰパケット１７０の先頭部分に、追加ヘッダ（ＭＭＴＰパケット追加ヘッダ１７１）を設定して、メディアに記録する。
【０２８４】
ＭＭＴＰパケット追加ヘッダ１７１には、後続のＭＭＴＰパケット１７０の格納データに対応するコピー制御情報が記録される。
すなわち、
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化情報（ｅｎｃｒｙｐｔｉｏｎ＿ｍｏｄｅ）
（Ｃ）暗号化フラグ（ｅｎｃｒｙｐｔｉｏｎ＿ｆｌａｇ）
（Ｄ）コピー数制限情報（ｃｏｐｙ＿ｒｅｓｔｒｉｃｔｉｏｎ＿ｍｏｄｅ）
これらの各値を記録した追加ヘッダを記録する。
【０２８５】
この追加ヘッダをメディアに記録することで、コピー処理を実行するコピー装置（情報処理装置）は、追加ヘッダの記録内容に基づいて後続のＭＭＴＰパケットの格納データについてのコピー制御を行うことができる。
【０２８６】
さらに、本実施例においては、このＭＭＴＰパケット追加ヘッダ１７１にパレンタル（Ｐａｒｅｎｔａｌ）情報を記録する。
追加ヘッダに記録されたパレンタル情報に基づいて後続のＭＭＴＰパケットの格納データについての再生制御を行うことが可能となる。
【０２８７】
次に、図３５に示すＴＬＶパケット追加ヘッダ１６１、および、図３６に示すＭＭＴＰパケット追加ヘッダ１７１の記録データのデータ構成（Ｓｙｎｔａｘ）の例について説明する。
【０２８８】
図３７は、図３５に示すＴＬＶパケット追加ヘッダ１６１の記録データのデータ構成（Ｓｙｎｔａｘ）例である。
図３７に示すように、ＴＬＶパケット追加ヘッダには、以下の各データが記録される。
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化情報（ｅｎｃｒｙｐｔｉｏｎ＿ｍｏｄｅ）
（Ｃ）暗号化フラグ（ｅｎｃｒｙｐｔｉｏｎ＿ｆｌａｇ）
（Ｄ）コピー数制限情報（ｃｏｐｙ＿ｒｅｓｔｒｉｃｔｉｏｎ＿ｍｏｄｅ）
（Ｅ）パレンタルレート（ｒａｔｉｎｇ）１８１
【０２８９】
さらに、図３８は、図３６に示すＭＭＴＰパケット追加ヘッダ１７１の記録データのデータ構成（Ｓｙｎｔａｘ）例である。
図３８に示すように、ＭＭＴＰパケット追加ヘッダには、以下の各データが記録される。
（Ａ）デジタル記録制御情報（ｄｉｇｉｔａｌ＿ｒｅｃｏｒｄｉｎｇ＿ｃｏｎｔｒｏｌ＿ｄａｔａ）
（Ｂ）暗号化情報（ｅｎｃｒｙｐｔｉｏｎ＿ｍｏｄｅ）
（Ｃ）暗号化フラグ（ｅｎｃｒｙｐｔｉｏｎ＿ｆｌａｇ）
（Ｄ）コピー数制限情報（ｃｏｐｙ＿ｒｅｓｔｒｉｃｔｉｏｎ＿ｍｏｄｅ）
（Ｅ）パレンタルレート（ｒａｔｉｎｇ）１８１
これらの記録データは、図３７に示すＴＬＶパケット追加ヘッダの記録データと同様のデータである。
【０２９０】
図３７、図３８に示すＴＬＶパケット追加ヘッダ、ＭＭＴＰパケット追加ヘッダに記録されるパレンタルレート（ｒａｔｉｎｇ）１８１の詳細について、図３９を参照して説明する。
【０２９１】
図３９には、図３７、図３８に示すＴＬＶパケット追加ヘッダ、ＭＭＴＰパケット追加ヘッダに記録されるパレンタルレート（ｒａｔｉｎｇ）１８１の具体的な記録例と意味を示している。パレンタルレート（ｒａｔｉｎｇ）１８１の設定値と意味は、図３９（ａ）に示す通りであり、以下の通りである。
Ｒａｔｉｎｇ＝０ｘ００：未定義
Ｒａｔｉｎｇ＝０ｘ０１〜０ｘ０Ｆ：視聴許容最小年齢がｒａｔｉｎｇ＋３
Ｒａｔｉｎｇ＝０ｘ００：事業者定義
【０２９２】
これらは、先に図１２〜図１５を参照して説明したＭＰＥＧ−２ＴＳフォーマット、ＭＭＴフォーマット対応の再生制御情報に記録されるパレンタルレート（Ｒａｔｉｎｇ）と同じ設定である。
なお、この図３９（ａ）に示すレーティングの記録例は一例であり、この他の構成を有する記録処理を行う構成としてもよい。
例えば、視聴許容最小年齢を示す数値をそのまま８ビットデータとして記録する設定としてもよい。
【０２９３】
なお、これらのデータは、ＴＬＶパケット追加ヘッダ、またはＭＭＴＰパケット追加ヘッダに記録され、追加ヘッダに後続するパケットに格納されたコンテンツに適用する再生制御情報として利用される。
【０２９４】
なお、ＴＬＶパケット追加ヘッダ、またはＭＭＴＰパケット追加ヘッダの構成データは、クリップＡＶストリームファイルに格納するコンテンツの暗号化、および復号に適用する鍵（ブロック鍵）の生成情報として利用される。
【０２９５】
ＭＭＴフォーマットデータによって構成される放送波を受信して、情報記録媒体（メディア）にデータを記録する情報処理装置は、ＭＭＴフォーマットデータを格納したＭＭＴＰパケット、またはＴＬＶパケットに対して新たに追加ヘッダ（ＭＭＴＰパケット追加ヘッダ、または、ＴＬＶパケット追加ヘッダ）を追加して、これらの追加ヘッダにコピー制御情報を記録して情報記録媒体（メディア）に記録する。
【０２９６】
この情報記録媒体（メディア）に対するデータ記録処理に際して、パケット（ＭＭＴＰパケット、またはＴＬＶパケット）格納データの再暗号化処理が必要となる場合がある。
例えば、ＢＤ（Ｂｌｕ−Ｒａｙ（登録商標）  Ｄｉｓｃ）やＨＤ、ＤＶＤ等の情報記録媒体（メディア）の記録データの著作権保護に関する規格はＡＡＣＳ（Ａｄｖａｎｃｅｄ  Ａｃｃｅｓｓ  Ｃｏｎｔｅｎｔ  Ｓｙｓｔｅｍ）によって規定されており、ＢＤ等のメディア記録コンテンツの暗号化態様はＡＡＣＳ規定に従った方式であることが必要となる。
しかし、放送コンテンツについてはＡＡＣＳ規定に拘束されず、ＡＡＣＳ規定の暗号化態様が利用する必要がなく、独自の暗号化態様での配信がなされる。
【０２９７】
従って、ＭＭＴフォーマットデータによって構成される放送波を受信して、情報記録媒体（メディア）にデータを記録する情報処理装置は、放送データとして受信する暗号化データ、あるいはその暗号化データをそのまま記録したハードディスク等の第１メディアの記録データを読み出して、一旦、復号し、その後、ＡＡＣＳ規定に従った方式で再暗号化を行ってコピー先の情報記録媒体（第２メディア）に記録することが必要となる。
【０２９８】
以下、この暗号化処理例について説明する。
まず、ＴＬＶパケット列を情報記録媒体（メディア）に記録する場合の暗号化処理例について、図４０を参照して説明する。
【０２９９】
情報処理装置は、コピー制御情報を記録したＴＬＶパケット追加ヘッダをＴＬＶパケットに追加して情報記録媒体（メディア）に記録する。
図４０には、この処理を実行する場合の暗号化処理のシーケンスを示している。
【０３００】
まず、情報処理装置は、コピー制御情報を記録したＴＬＶパケット追加ヘッダ２１１を取得する。
このＴＬＶパケット追加ヘッダ２１１は、１６バイト平文データによって構成される。なお、ＴＬＶパケット追加ヘッダが１６バイト未満である場合は、ＴＬＶパケットの先頭の一部データを平文データとしてＴＬＶパケット追加ヘッダに併せて１６バイトのＴＬＶパケット追加ヘッダ２１１としてもよい。
【０３０１】
（ステップＳ１１）
情報処理装置は、上記の１６バイトＴＬＶパケット追加ヘッダ２１１を取得し、ステップＳ１１において、予め生成したタイトル鍵２１２を適用した一方向性関数による演算を実行して、ブロック鍵２１３を生成する。
すなわち、１６バイトＴＬＶパケット追加ヘッダ２１１の構成データを暗号鍵生成用のシード情報として利用して、ブロック単位（暗号処理単位）の暗号鍵であるブロック鍵２１３を生成する。
【０３０２】
（ステップＳ１２）
次に、情報処理装置は、ステップＳ１２において、平文ＴＬＶパケット２１４を入力して、ステップＳ１１で生成したブロック鍵を適用した暗号化処理を実行して暗号化ＴＬＶパケット２１５を生成する。
なお、平文ＴＬＶパケット２１４は、放送局等から送信される暗号化データを復号して得た平文ＴＬＶパケット２１４である。再生処理に際して復号された結果と同じデータである。
【０３０３】
ブロック鍵を適用した暗号化処理を実行して生成した暗号化ＴＬＶパケット２１５を、ＴＬＶパケット追加ヘッダ２１１の後続データとして設定して、情報記録媒体（メディア）に記録する。
なお、ブロック鍵を適用した暗号化処理は、例えば、ＥＣＢモードやＣＢＣモードを適用した暗号化処理として実行可能である。また、これらの暗号化処理を行う場合にパディングデータを付加する設定としてもよい。例えばＡＥＳ等のブロック暗号との相性を考えて、暗号化ＴＬＶパケットが１６バイトの倍数となるように０００・・・０等のデータ列からなるパディングデータを付加する設定としてもよい。
【０３０４】
クリップＡＶストリームファイルを構成するすべてのＴＬＶパケットについて、同様の暗号化処理を実行して、ＴＬＶパケット追加ヘッダと暗号化ＴＬＶパケットの組みからなるデータセットを並べて、ＢＤ等の情報記録媒体に記録する。
【０３０５】
次に、ＭＭＴＰパケット列を情報記録媒体（メディア）に記録する場合の暗号化処理例について、図４１を参照して説明する。
【０３０６】
情報処理装置は、コピー制御情報を記録したＭＭＴＰパケット追加ヘッダをＭＭＴＰパケットに追加して情報記録媒体（メディア）に記録する。
図４１には、この処理を実行する場合の暗号化処理のシーケンスを示している。
【０３０７】
まず、情報処理装置は、コピー制御情報を記録したＭＭＴＰパケット追加ヘッダ２２１を取得する。
このＭＭＴＰパケット追加ヘッダ２２１は、１６バイト平文データによって構成される。なお、ＭＭＴＰパケット追加ヘッダが１６バイト未満である場合は、ＭＭＴＰパケットの先頭の一部データを平文データとしてＭＭＴＰパケット追加ヘッダに併せて１６バイトの平文ＭＭＴＰパケット追加ヘッダ２２１としてもよい。
【０３０８】
（ステップＳ２１）
情報処理装置は、上記の１６バイトＭＭＴＰパケット追加ヘッダ２２１を取得し、ステップＳ２１において、予め生成したタイトル鍵２２２を適用した一方向性関数による演算を実行して、ブロック鍵２２３を生成する。
すなわち、１６バイトＭＭＴＰパケット追加ヘッダ２６１の構成データを暗号鍵生成用のシード情報として利用して、ブロック単位（暗号処理単位）の暗号鍵であるブロック鍵２２３を生成する。
【０３０９】
（ステップＳ２２）
次に、情報処理装置は、ステップＳ２２において、平文ＭＭＴＰパケット２２４を入力して、ステップＳ２１で生成したブロック鍵を適用した暗号化処理を実行して暗号化ＭＭＴＰパケット２２５を生成する。
なお、平文ＭＭＴＰパケット２２４は、放送局等から送信される暗号化データを復号して得た平文ＭＭＴＰパケット２２４である。再生処理に際して復号された結果と同じデータである。
【０３１０】
ブロック鍵を適用した暗号化処理を実行して生成した暗号化ＭＭＴＰパケット２２５を、ＭＭＴＰパケット追加ヘッダ２６１の後続データとして設定して、情報記録媒体（メディア）に記録する。
なお、ブロック鍵を適用した暗号化処理は、例えば、ＥＣＢモードやＣＢＣモードを適用した暗号化処理として実行可能である。また、これらの暗号化処理を行う場合にパディングデータを付加する設定としてもよい。例えばＡＥＳ等のブロック暗号との相性を考えて、暗号化ＭＭＴＰパケットが１６バイトの倍数となるように０００・・・０等のデータ列からなるパディングデータを付加する設定としてもよい。
【０３１１】
クリップＡＶストリームファイルを構成するすべてのＭＭＴＰパケットについて、同様の暗号化処理を実行して、ＭＭＴＰパケット追加ヘッダと暗号化ＭＭＴＰパケットの組みからなるデータセットを並べて、ＢＤ等の情報記録媒体に記録する。
【０３１２】
なお、コンテンツ再生時には、図４０、図４１を参照して説明したと同様のシーケンスで、プロック鍵を生成して、生成したブロック鍵を適用して暗号化ＴＬＶパケット、または暗号化ＭＭＴＰパケットの復号処理を行う。
【０３１３】
このように、クリップＡＶストリームファイルに格納されるＴＬＶパケット、またはＭＭＴＰパケットを復号して再生する処理には、ブロック鍵を生成することが必要となり、ブロック鍵の生成には、追加ヘッダ（ＴＬＶパケット追加ヘッダ、またはＭＭＴＰパケット追加ヘッダ）の構成データが利用される。
【０３１４】
追加ヘッダ（ＴＬＶパケット追加ヘッダ、またはＭＭＴＰパケット追加ヘッダ）の構成データが変更、すなわち改ざんされると、正しいブロック鍵の生成が不可能となり、結果としてクリップＡＶストリームファイルに格納された暗号化コンテンツの復号、再生を行うことができなくなる。
【０３１５】
従って、追加ヘッダ（ＴＬＶパケット追加ヘッダ、またはＭＭＴＰパケット追加ヘッダ）の構成データであるパレンタル（Ｐａｒｅｎｔａｌ）情報が改ざんされると、クリップＡＶストリームファイルに格納された暗号化コンテンツの復号、再生を行うことができなくなる。
【０３１６】
本実施例は、パレンタル（Ｐａｒｅｎｔａｌ）情報を追加ヘッダ（ＴＬＶパケット追加ヘッダ、またはＭＭＴＰパケット追加ヘッダ）の構成データと設定することで、パレンタル（Ｐａｒｅｎｔａｌ）情報の改ざんを防止し、パレンタル（Ｐａｒｅｎｔａｌ）情報の厳格な適用を実現可能としたものである。
【０３１７】
［１１．情報記録媒体に対するデータ記録処理を実行する情報処理装置の構成と処理について］
次に、図４２以下を参照して情報記録媒体に対するデータ記録処理を実行する情報処理装置の構成と処理について説明する。
【０３１８】
本開示の情報処理装置は、ＭＰＥＧ−２ＴＳフォーマット、またはＭＭＴフォーマットに従った入力データを、ＢＤＡＶフォーマットデータ、またはＳＰＡＶフォーマットデータとして、ＢＤやフラッシュメモリ等の情報記録媒体に記録する。
情報処理装置３００は、情報記録媒体（記録メディア）３２０に、クリップＡＶストリームファイル、さらに、プレイリストやクリップ情報ファイル等のデータベースファイルや、利用制御情報ファイル等を記録する。
プレイリストやクリップ情報ファイル等のデータベースファイル、あるいは利用制御情報ファイル、またはクリップＡＶストリームファイルに格納するパケットの追加ヘッダには、メディア記録コンテンツ対応のパレンタル情報を記録する。
【０３１９】
なお、プレイリストやクリップ情報ファイル等のデータベースファイル、あるいは利用制御情報ファイル、またはクリップＡＶストリームファイルに格納するパケットの追加ヘッダに記録する情報は、ＭＰＥＧ−２ＴＳフォーマット、またはＭＭＴフォーマットに従った入力データに含まれる画像や音声等の再生ストリームデータ格納パケットの他、制御情報（ＰＭＴ、ＭＰＴ等）格納パケットから取得する。
【０３２０】
以下、クリップＡＶストリームファイル、さらに、プレイリストやクリップ情報ファイル等のデータベースファイルや、利用制御情報ファイル等を記録した情報記録媒体の生成処理、具体的には、ＢＤ等の情報記録媒体に対するデータ記録処理を実行する情報処理装置の構成と、処理シーケンスについて説明する。
【０３２１】
図４２は、ＢＤ等の情報記録媒体に対するデータ記録処理を実行する情報処理装置３００の構成を示す図である。
情報処理装置３００は、情報記録媒体（記録メディア）３２０に、ＢＤＡＶフォーマットデータ、またはＳＰＡＶフォーマットデータの記録データを記録する。すなわち、画像、音声データからなるクリップＡＶストリームファイルや、再生制御情報ファイルであるプレイリストファイルやクリップ情報ファイル等のデータベースファイルや利用制御情報ファイル等を記録する。
【０３２２】
データ入力部３０１は、情報記録媒体３２０に対する記録用データである入力データ３３１、すなわち、ＭＭＴフォーマットデータ、あるいはＭＰＥＧ−２ＴＳフォーマットデータを入力する。すなわち画像データ、音声データ、字幕データや制御情報等を含む入力データ３３１を入力する。
データ入力部３０１は、ＭＭＴフォーマットデータ等を送信する例えば放送局やコンテンツサーバ等からの送信データを受信する受信部、あるいは、ＭＭＴフォーマットデータ等を記録したメディアからのデータ読み取りを実行するメディア読み取り部等によって構成される。
【０３２３】
入力データ３３１は、制御部３０３の制御によって、記憶部３０４に格納される。
ユーザ入力部３０２は、例えば情報記録媒体３２０に対するデータ記録の開始要求等を入力する。
【０３２４】
ユーザ入力部３０２から、データ記録開始要求を入力すると、この入力をトリガとして、記憶部３０４に格納された入力データ３３１が、デマルチプレクサ（ＤｅＭＵＸ）３０５に入力される。
デマルチプレクサ（ＤｅＭＵＸ）３０５は、入力データ３３１から、画像、音声、字幕等の各データを格納したパケットや、通知情報や制御情報等を取得し、データ種別のパケットに分類し、各パケットを、データ種類に応じて、記録データ生成部３０６の字幕データ生成部３１１、画像データ生成部３１２、音声データ生成部３１３、補助情報生成部３１４に入力する。
【０３２５】
字幕データ生成部３１１は、データ入力部３０１が入力し、記憶部３０４に格納された入力データ３３１から、字幕データを取得し、ＢＤＡＶフォーマットにおいて規定されるストリームファイル格納用データを生成する。
画像データ生成部３１２は、データ入力部３０１が入力し、記憶部３０４に格納された入力データ３３１から、画像データを取得し、ＢＤＡＶフォーマットにおいて規定されるストリームファイル格納用データを生成する。
音声データ生成部３１３は、データ入力部３０１が入力し、記憶部３０４に格納された入力データ３３１から、音声データを取得し、ＢＤＡＶフォーマットにおいて規定されるストリームファイル格納用データを生成する。
【０３２６】
補助情報生成部３１４は、データ入力部３０１が入力し、記憶部３０４に格納された入力データ３３１から、再生データ対応の属性情報や再生制御情報を取得してＢＤＡＶフォーマットにおいて規定されるデータベースファイルとしてのプレイリストファイルやクリップ情報ファイルや利用制御情報ファイル、あるいはクリップＡＶストリームファイルに格納するパケットの追加ヘッダに記録すべきデータを生成する。
【０３２７】
具体的には、例えば、先の実施例で説明したパレンタル（Ｐａｒｅｎｔａｌ）情報を入力データ３３１から取得して、プレイリストファイルやクリップ情報ファイルや利用制御情報ファイル、あるいはクリップＡＶストリームファイルに格納するパケットの追加ヘッダに記録すべきデータを生成する。
【０３２８】
マルチプレクサ（ＭＵＸ）３１５は、字幕データ生成部３１１、画像データ生成部３１２、音声データ生成部３１３が変換した字幕、画像、音声各データを入力し、これらのデータを格納したストリームファイルを生成する。
【０３２９】
なお、前述したように、入力データがＭＭＴフォーマットデータある場合、メディアに記録する場合のクリップＡＶストリームファイルは、
（１）ＭＭＴフォーマットをＭＰＥＧ−２ＴＳフォーマットに変換してクリップＡＶストリームファイルを生成する、あるいは、
（２）ＭＭＴフォーマットに従ったデータを格納したパケットのパケット列（ＭＭＴＰパケット列、またはＴＬＶパケット列）からなるクリップＡＶストリームファイルを生成する、
これらの２種類の処理が想定される。
記録データ生成部３０６は、上記（１），（２）のいずれかの処理態様に従ってクリップＡＶストリームファイルを生成する。
【０３３０】
補助情報記録データ生成部３１６は、補助情報生成部３１４が入力データ３３１に含まれる制御情報から取得した様々な情報を記録したプレイリストファイルやクリップ情報ファイル等のデータベースファイルや、利用制御情報ファイル、あるいは追加ヘッダを生成する。
【０３３１】
記録データ生成部３０６の生成したストリームファイルデータと、プレイリストファイル、クリップ情報ファイル等のデータベースファイルを含む記録データ３３２は、制御部３０３の制御の下、記録部３０６によって、ドライブ３０７を介して情報記録媒体３２０に出力され、記録される。
【０３３２】
次に、図４２に示す情報処理装置３００が実行する情報記録媒体３２０に対するデータ記録処理のシーケンスについて、図４３に示すフローチャートを参照して説明する。
【０３３３】
図４３に示すフローに従った処理は、例えば情報処理装置の記憶部に格納されたプログラムに従って、プログラム実行機能を有するＣＰＵを備えたデータ処理部（制御部）の制御の下で実行することができる。
以下、図４３のフローに示す各ステップの処理について、順次、説明する。
【０３３４】
（ステップＳ１０１）
まず、情報処理装置３００は、ステップＳ１０１において、データ入力部３０１を介して記録用データを入力する。
なお、この記録用データには画像データ、音声データ、字幕データ、さらに、通知情報や制御情報等が含まれる。
【０３３５】
（ステップＳ１０２）
次に、ステップＳ１０２において、情報処理装置３００は、入力データから、画像、音声等の再生対象データを取得し、ＢＤＡＶフォーマットに従ったＡＶストリームファイルを生成する。
【０３３６】
（ステップＳ１０３）
次に、ステップＳ１０３において、情報処理装置３００は、入力ータの構成データを利用して、クリップ情報ファイルを生成する。
【０３３７】
（ステップＳ１０４）
次に、ステップＳ１０４において、情報処理装置３００は、入力したＭＭＴフォーマットデータの構成データを利用して、プレイリストファイルを生成する。
【０３３８】
ステップＳ１０３〜Ｓ１０４のクリップ情報ファイル、プレイリストファイルの生成処理においては、具体的には、先の実施例において説明したように、ＭＰＥＧ−２ＴＳフォーマットデータのプログラムマップテーブル（ＰＭＴ）等の制御情報、あるいはＭＭＴフォーマットデータのＭＭＴパッケージテーブル（ＭＰＴ）等の制御情報を取得して、これらのテーブル等からデータを取得して、各ファイルを生成する。
なお、このステップＳ１０３〜Ｓ１０４のクリップ情報ファイル、プレイリストファイルの生成処理において、先の実施例において説明したパレンタル（Ｐａｒｅｎｔａｌ）情報の取得、記録処理を行う。
【０３３９】
（ステップＳ１０５）
次に、ステップＳ１０５において、情報処理装置３００は、入力データを利用してその他のデータベースファイル、利用制御情報ファイル等を生成する。
【０３４０】
（ステップＳ１０６）
次に、ステップＳ１０６において、情報処理装置３００は、生成したＡＶストリームファイルとデータベースファイル、利用制御情報ファイル等を利用してＢＤＡＶフォーマットデータを生成する。
【０３４１】
（ステップＳ１０７）
次に、ステップＳ１０７において、情報処理装置３００は、ステップＳ１０６で生成したＢＤＡＶフォーマットデータを情報記録媒体（メディア）に記録する。
【０３４２】
図４３に示すフロー中のステップＳ１０２〜Ｓ１０６の処理においては、先の実施例において説明したパレンタル（Ｐａｒｅｎｔａｌ）情報の取得、記録処理が行われる。
このパレンタル（Ｐａｒｅｎｔａｌ）情報の取得、記録処理のシーケンスについて、図４４に示すフローチャートを参照して説明する。
【０３４３】
図４４に示すフローの最初のステップＳ１０１と、最後のステップＳ１０７は、図４３に示すフローの最初のステップＳ１０１と、最後のステップＳ１０７に対応する。
図４４に示すフローのステップＳ１５１〜Ｓ１５２のステップが、図４３に示すフローのステップＳ１０２〜Ｓ１０６の処理中に行われる処理の一部の処理であり、パレンタル（Ｐａｒｅｎｔａｌ）情報の取得、記録処理のみを記載したものである。
図４４に示すフローの各ステップの処理について、順次、説明する。
【０３４４】
（ステップＳ１０１）
まず、情報処理装置３００は、ステップＳ１０１において、データ入力部３０１を介して記録用データを入力する。
なお、この記録用データには画像データ、音声データ、字幕データ、さらに、通知情報や制御情報等が含まれる。
【０３４５】
（ステップＳ１５１）
次に、ステップＳ１５１において、情報処理装置３００は、入力データからパレンタル（Ｐａｒｅｎｔａｌ）情報を取得する。
入力データがＭＰＥＧ−２ＴＳフォーマットデータである場合は、先に図１２、図１３を参照して説明したように、ＭＰＥＧ−２ＴＳフォーマットに従って放送局等から送信されるコンテンツ対応の制御情報であるプログラムマップテーブル（ＰＭＴ）に記録されたパレンタル（Ｐａｒｅｎｔａｌ）情報を取得する。
【０３４６】
一方、入力データがＭＭＴフォーマットデータである場合は、先に図１４、図１５を参照して説明したように、ＭＭＴフォーマットに従って放送局等から送信されるコンテンツ対応の制御情報であるＭＭＴパッケージテーブル（ＭＰＴ）に記録されたパレンタル（Ｐａｒｅｎｔａｌ）情報を取得する。
【０３４７】
（ステップＳ１５２）
次に、ステップＳ１５２において、情報処理装置３００は、取得したパレンタル（Ｐａｒｅｎｔａｌ）情報を、ＢＤＡＶフォーマットにおいて規定されるデータベースファイルであるプレイリストファイル、クリップ情報ファイル、あるいは利用制御情報ファイル、あるいはクリップＡＶストリームファイルに格納するパケットの追加ヘッダに記録する。
なお、このパレンタル（Ｐａｒｅｎｔａｌ）情報の記録処理は、上記いずれか１ｚに記録する設定としてもよいし、複数に記録する設定としてもよい。
【０３４８】
これらステップＳ１５１〜Ｓ１５２の処理により、ＢＤＡＶフォーマットにおいて規定されるデータベースファイルであるプレイリストファイル、クリップ情報ファイル、あるいは利用制御情報ファイル、あるいはクリップＡＶストリームファイルに格納するパケットの追加ヘッダのいずれかにパレンタル（Ｐａｒｅｎｔａｌ）情報が記録される。
【０３４９】
（ステップＳ１０７）
次に、ステップＳ１０７において、情報処理装置３００は、生成したＢＤＡＶフォーマットデータを情報記録媒体（メディア）に記録する。
【０３５０】
ＢＤ等の情報記録媒体に、これらのデータ記録処理を行うことで、情報記録媒体にの記録されたデータの再生処理を実行する再生装置は、プレイリストファイル、クリップ情報ファイル、あるいは利用制御情報ファイル、あるいはクリップＡＶストリームファイルに格納するパケットの追加ヘッダのいずれかに記録されたパレンタル（Ｐａｒｅｎｔａｌ）情報を参照して、再生対象となるクリップＡＶストリームファイルの格納コンテンツが、
（１）再生許容最小年齢が規定されたコンテンツであるか、
（２）再生許容最小年齢が規定されたコンテンツである場合、再生許容最小年齢が何歳であるか、
を判別することができる。
【０３５１】
さらに、再生対象のクリップＡＶストリームファイルの格納コンテンツが、再生許容最小年齢が規定されたコンテンツである場合、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０３５２】
［１２．情報記録媒体からのデータ再生処理を実行する情報処理装置の構成と処理について］
次に、図４５以下を参照して情報記録媒体からのデータ再生処理を実行する情報処理装置の構成と処理について説明する。
【０３５３】
再生処理を実行する情報処理装置は、装置に装着した情報記録媒体に記録されたデータの読み取り、再生処理を実行する。
【０３５４】
図４５は、ＢＤ等の情報記録媒体５１０に記録されたデータの再生処理を実行する情報処理装置４００の構成を示す図である。
情報処理装置４００は、図４５に示す情報記録媒体（記録メディア）５１０に記録されたデータを読み取り、出力装置（表示部＋スピーカ）５２０に出力する。なお、出力装置５２０は、例えばテレビ等であり、ディスプレイ、スピーカ等を備えた表示装置である。
なお、情報処理装置４００は先に図４２を参照して説明したデータ記録を行う情報処理装置３００と同一の装置である場合もある。すなわち、データ記録再生の両機能を有する情報処理装置である。
【０３５５】
情報記録媒体（記録メディア）５１０は、先に説明した実施例に従った処理によって生成されたクリップＡＶストリームファイルの他、プレイリストファイル、クリップ情報ファイル等のデータベースファイル、利用制御情報ファイル等が記録された記録媒体である。
【０３５６】
なお、プレイリストファイル、クリップ情報ファイル、あるいは利用制御情報ファイル、あるいはクリップＡＶストリームファイルに格納するパケットの追加ヘッダのいずれかには、パレンタル（Ｐａｒｅｎｔａｌ）情報が記録されている。
【０３５７】
制御部４０１は、例えば、ユーザ入力部４０２からの再生指示情報の入力に基づいて、情報記録媒体５１０の記録データを、記録再生部４０４、ドライブ４０３を介して読み取り、データバッファとしての記憶部４０５に格納し、その格納データを再生処理部４０６に出力する。
【０３５８】
また、制御部４０１は、例えば、ユーザ入力部４０２からの録画コンテンツリスト表示指示情報の入力に基づいて、情報記録媒体５１０の記録データに基づいて、先に図２６を参照して説明した録画コンテンツリストを生成して、出力装置（表示部）５２０に出力する。
【０３５９】
再生処理部４０６は、制御部４０１の制御の下、情報記録媒体５１０から読み出された再生データ、すなわち、画像、音声、字幕等の各データを格納したクリップＡＶストリームファイルから各データを取得して再生データを生成する。
【０３６０】
デマルチプレクサ（ＤｅＭＵＸ）４１１は、画像、音声、字幕、さらに、プレイリストファイル、クリップ情報ファイル等の各データを格納したデータ格納パケットを取得し、データ種別のパケットに分類し、各パケットを、データ種類に応じて、字幕データ生成部４１２、画像データ生成部４１３、音声データ生成部４１４、補助情報生成部４１５に出力する。
【０３６１】
字幕データ生成部４１２、画像データ生成部４１３、音声データ生成部４１４は、パケットに格納されたデータの復号処理等を実行し、復号データを出力データ生成部４１６に出力する。
出力データ生成部４１６は、字幕、画像、音声の各データを、入出力インタフェース４０７を介して出力装置（表示部＋スピーカ）５２０に出力する。
【０３６２】
なお、情報記録媒体５１０は、再生対象データを格納したストリームファイルとして、
ＭＰＥＧ−２ＴＳフォーマットデータを格納したストリームファイルと、
ＭＭＴフォーマットデータを格納したストリームファイルを有する場合がある。
情報処理装置４００は、各フォーマット対応のプレイリストファイルとクリップ情報ファイルを選択適用して、ＭＰＥＧ−２ＴＳフォーマットデータを格納したストリームファイル、および、ＭＭＴフォーマットデータを格納したストリームファイルの再生処理を実行することになる。
【０３６３】
補助情報生成部４１５は、例えば、プレイリストファイル、クリップ情報ファイルに格納されたデータを取得して録画コンテンツリストを生成し、生成リストが出力装置（表示部＋スピーカ）５２０に出力される。
【０３６４】
出力装置（表示部＋スピーカ）５２０は、情報処理装置４００から入力する字幕、画像、音声等の各データ、さらに録画コンテンツリストを、出力装置（表示部＋スピーカ）５２０を介して出力する。
【０３６５】
次に、図４５に示す情報処理装置４００が実行する情報記録媒体５１０からのデータの再生処理に際して、情報記録媒体５１０に記録されたパレンタル（Ｐａｒｅｎｔａｌ）情報を適用して再生制御を行うシーケンスについて、図４６に示すフローチャートを参照して説明する。
【０３６６】
図４６に示すフローに従った処理は、例えば情報処理装置４００の記憶部に格納されたプログラムに従って、プログラム実行機能を有するＣＰＵを備えたデータ処理部（制御部）の制御の下で実行することができる。
【０３６７】
なお、図４６に示すフローに従った処理を実行する情報処理装置は、図４５に示す情報処理装置４００であり、情報記録媒体（記録メディア）５１０を装着し、装着した情報記録媒体５１０に記録されたデータを読み取り、出力装置（表示部＋スピーカ）５２０に出力する。なお、出力装置５２０は、例えばテレビ等であり、ディスプレイ、スピーカ等を備えた表示装置である。
【０３６８】
情報記録媒体（記録メディア）５１０は、プレイリストファイル、クリップ情報ファイル、あるいは利用制御情報ファイル、あるいはクリップＡＶストリームファイルに格納するパケットの追加ヘッダのいずれかにパレンタル（Ｐａｒｅｎｔａｌ）情報を記録した情報記録媒体（記録メディア）５１０である。
以下、図４６のフローに示す各ステップの処理について、順次、説明する。
【０３６９】
（ステップＳ２０１）
まず、情報処理装置４００の制御部４０１は、ステップＳ２０１において、ユーザによる再生指示情報を入力する。なお、この時点でユーザ情報が入力される。
なお、この処理は、情報処理装置４００の記憶部に予めユーザ登録がなされたユーザのみに再生を許可する設定であるものとする。
登録情報にはユーザの年齢が含まれる。
【０３７０】
（ステップＳ２０２）
次に、情報処理装置４００の制御部４０１は、ステップＳ２０２において、再生指示ユーザが、登録済みのユーザであるか否かを判定する。
すなわち、情報処理装置４００の記憶部に予めユーザ登録がなされたユーザであるか否かを判定する。
登録ユーザでない場合は、再生処理を実行することなく処理を終了する。
登録ユーザである場合は、ステップＳ２０３に進む。
【０３７１】
（ステップＳ２０３）
ステップＳ２０２の判定処理において、再生指示ユーザが登録ユーザであると判定されると、次に、情報処理装置４００の制御部４０１は、ステップＳ２０３において、情報記録媒体（メディア）に記録されたコンテンツリストを表示する。
これは、例えば先に図２６を参照して説明したコンテンツリストである。
【０３７２】
（ステップＳ２０４）
次に、ステップＳ２０４において、情報処理装置４００の制御部４０１は、ユーザによるコンテンツリストからの再生対象コンテンツの選択情報を入力する。
【０３７３】
（ステップＳ２０５〜Ｓ２０６）
次に、ステップＳ２０５〜Ｓ２０６において、情報処理装置４００の制御部４０１は、選択コンテンツ対応のプレイリストファイル、またはクリップ情報ファイル、または利用制御情報ファイル、または追加ヘッダを取得し、取得データからパレンタル（Ｐａｒｅｎｔａｌ）情報を取得する。
【０３７４】
（ステップＳ２０７）
次に、ステップＳ２０７において、情報処理装置４００の制御部４０１は、取得したパレンタル情報に基づいて、再生対象のコンテンツが、
（１）再生許容最小年齢が規定されたコンテンツであるか、
（２）再生許容最小年齢が規定されたコンテンツである場合、再生許容最小年齢が何歳であるか、
を判別する。
【０３７５】
さらに、再生対象コンテンツが、再生許容最小年齢が規定されたコンテンツである場合、予め情報処理装置のメモリに格納された視聴者年齢情報と、取得した「パレンタル（Ｐａｒｅｎｔａｌ）情報」の設定値を比較する。
【０３７６】
（ステップＳ２０８）
ステップＳ２０８において、情報処理装置４００の制御部４０１は、登録ユーザ情報に含まれるユーザ年齢と、「パレンタル（Ｐａｒｅｎｔａｌ）情報」の設定値から得られる再生許容最小年齢とを比較する。
【０３７７】
ユーザ年齢が、「パレンタル（Ｐａｒｅｎｔａｌ）情報」の設定値から得られる再生許容最小年齢以上であれば、ステップＳ２０９に進み、
ユーザ年齢が、「パレンタル（Ｐａｒｅｎｔａｌ）情報」の設定値から得られる再生許容最小年齢以上でなければ、ステップＳ２１０に進む。
【０３７８】
（ステップＳ２０９）
ステップＳ２０８の判定処理において、ユーザ年齢が、「パレンタル（Ｐａｒｅｎｔａｌ）情報」の設定値から得られる再生許容最小年齢以上であると判定された場合、ステップＳ２０９に進み、選択コンテンツの再生処理を実行する。
【０３７９】
（ステップＳ２１０）
一方、ステップＳ２０８の判定処理において、ユーザ年齢が、「パレンタル（Ｐａｒｅｎｔａｌ）情報」の設定値から得られる再生許容最小年齢以上でないと判定された場合、ステップＳ２１０に進み、選択コンテンツの再生処理をや粉わず、再生が許可されないことの通知、例えばメッセージを表示する。
【０３８０】
このように、再生装置は、予め再生装置のメモリに格納された視聴者年齢情報と、この「パレンタル（Ｐａｒｅｎｔａｌ）情報」の設定値を比較してコンテンツ再生の実行、中止の処理を行うことができる。すなわち、視聴者年齢に応じた再生制御を行うことが可能となる。
【０３８１】
［１３．情報処理装置の構成例について］
次に、情報記録媒体に対するデータ記録、情報記録媒体からのデータ再生を実行する情報処理装置として適用可能な情報処理装置のハードウェア構成例について、図４７を参照して説明する。
【０３８２】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０３８３】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０３８４】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０３８５】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０３８６】
［１４．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３８７】
なお、本明細書において開示した技術は、以下のような構成をとることができる。
（１）  ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部は、
コンテンツを格納したクリップＡＶストリームファイルと、
前記入力データから取得したコンテンツ対応の再生許容年齢情報を、前記情報記録媒体に記録する情報処理装置。
【０３８８】
（２）  前記データ処理部は、
前記再生許容年齢情報を、プレイリストファイル、またはクリップ情報ファイルの少なくともいずれかに記録する（１）に記載の情報処理装置。
【０３８９】
（３）  前記データ処理部は、
前記再生許容年齢情報を、利用制御情報ファイル、または前記クリップＡＶストリームファイルの格納パケットのパケットヘッダの少なくともいずれかに記録する（１）または（２）に記載の情報処理装置。
【０３９０】
（４）  前記データ処理部は、
プレイリストファイルの再生制御対象コンテンツ中、最も再生許容年齢の高いコンテンツに対応する再生許容年齢情報を選択してプレイリストファイルに記録する（１）〜（３）いずれかに記載の情報処理装置。
【０３９１】
（５）  前記データ処理部は、
前記再生許容年齢情報の有効化、無効化を設定可能としたフラグを前記情報記録媒体に記録する（１）〜（４）いずれかに記載の情報処理装置。
【０３９２】
（６）  前記データ処理部は、
前記再生許容年齢情報の有効化、無効化を設定可能としたフラグを、プレイリストファイルに記録する（１）〜（５）いずれかに記載の情報処理装置。
【０３９３】
（７）  前記データ処理部は、
前記再生許容年齢情報の有効化、無効化を設定可能としたフラグを前記情報記録媒体に記録するとともに、
前記フラグの設定の変更を許可するか否かの判定処理に適用する登録パスコードを前記情報記録媒体に記録する（１）〜（６）いずれかに記載の情報処理装置。
【０３９４】
（８）  前記データ処理部は、
前記登録パスコードをＢＤＡＶフォーマット、またはＳＰＡＶフォーマットに規定される管理情報ファイルに記録する（７）に記載の情報処理装置。
【０３９５】
（９）  情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部は、
前記情報記録媒体から、コンテンツに対応する再生許容年齢情報を取得し、取得情報に基づくコンテンツ再生制御を実行する情報処理装置。
【０３９６】
（１０）  前記データ処理部は、
前記情報記録媒体から取得した前記再生許容年齢情報と、予め情報処理装置内のメモリに格納されたユーザ年齢情報を比較して、コンテンツの再生を許容するか否かを決定する（９）に記載の情報処理装置。
【０３９７】
（１１）  前記データ処理部は、
前記再生許容年齢情報を、プレイリストファイル、またはクリップ情報ファイルの少なくともいずれかから取得する（９）または（１０）に記載の情報処理装置。
【０３９８】
（１２）  前記データ処理部は、
前記再生許容年齢情報を、プレイリストファイルから取得し、取得した再生許容年齢情報を含むコンテンツリストを表示部に出力する（９）〜（１１）いずれかに記載の情報処理装置。
【０３９９】
（１３）  前記データ処理部は、
前記再生許容年齢情報を、利用制御情報ファイル、または前記クリップＡＶストリームファイルの格納パケットのパケットヘッダの少なくともいずれかから取得する（９）〜（１２）いずれかに記載の情報処理装置。
【０４００】
（１４）  前記データ処理部は、
前記利用制御情報ファイル、または前記パケットヘッダの少なくともいずれかを適用して再生対象となる暗号化コンテンツの復号処理に適用する暗号鍵を生成する（１３）に記載の情報処理装置。
【０４０１】
（１５）  前記情報記録媒体は、記録データとして、
前記再生許容年齢情報の有効化、無効化を設定可能としたフラグを有し。
前記データ処理部は、
ユーザにより入力されたパスコードと、登録済みパスコードとの照合処理を実行し、照合成立を条件として、前記フラグの設定の変更処理を許可する（９）〜（１４）いずれかに記載の情報処理装置。
【０４０２】
（１６）  ＢＤＡＶフォーマット、またはＳＰＡＶフォーマットに従った記録データを有する情報記録媒体であり、
コンテンツを格納したクリップＡＶストリームファイルと、
前記コンテンツの再生許容年齢情報を記録データとして有し、
再生装置が、前記情報記録媒体から、再生対象コンテンツに対応する再生許容年齢情報を取得し、取得情報に基づくコンテンツ再生制御を実行することを可能とした情報記録媒体。
【０４０３】
（１７）  情報処理装置において実行する情報処理方法であり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記データ処理部が、
コンテンツを格納したクリップＡＶストリームファイルと、
前記入力データから取得したコンテンツ対応の再生許容年齢情報を、前記情報記録媒体に記録する情報処理方法。
【０４０４】
（１８）  情報処理装置において実行する情報処理方法であり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記データ処理部が、
前記情報記録媒体から、コンテンツに対応する再生許容年齢情報を取得し、取得情報に基づくコンテンツ再生制御を実行する情報処理方法。
【０４０５】
（１９）  情報処理装置において実行する情報処理を実行させるプログラムであり、
前記情報処理装置は、
ＭＰＥＧ−２ＴＳフォーマットデータ、またはＭＭＴフォーマットデータを含む入力データを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
コンテンツを格納したクリップＡＶストリームファイルと、
前記入力データから取得したコンテンツ対応の再生許容年齢情報を、前記情報記録媒体に記録させるプログラム。
【０４０６】
（２０）  情報処理装置において実行する情報処理を実行させるプログラムであり、
前記情報処理装置は、
情報記録媒体の記録データの再生処理を実行するデータ処理部を有し、
前記情報記録媒体は、ＭＰＥＧ−２ＴＳフォーマットデータ、またはＭＭＴフォーマットデータを、ＢＤＡＶフォーマット、またはＳＰＡＶフォーマットに従って記録したデータを格納した情報記録媒体であり、
前記プログラムは、前記データ処理部に、
前記情報記録媒体から、コンテンツに対応する再生許容年齢情報を取得させ、取得情報に基づくコンテンツ再生制御を実行させるプログラム。
【０４０７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０４０８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０４０９】
以上、説明したように、本開示の一実施例の構成によれば、メディアの記録コンテンツ対応の再生許容年齢情報を記録して、再生時に年齢に基づく再生制御を行うことを可能とした構成が実現される。
具体的には、例えば、ＭＰＥＧ−２ＴＳフォーマットデータ、またはＭＭＴフォーマットデータを含む入力データから取得した再生対象コンテンツを格納したクリップＡＶストリームファイルと、入力データから取得したコンテンツ対応の再生許容年齢情報を、プレイリストファイル、クリップ情報ファイル、あるいは利用制御情報ファイル等に格納してメディアに記録する。再生装置は、再生対象コンテンツに対応する再生許容年齢情報をプレイリストファイル等から読み取り、ユーザの年齢情報との比較を行い、コンテンツの再生制御を行うことが可能となる。
本構成により、メディアの記録コンテンツ対応の再生許容年齢情報を記録して、再生時に年齢に基づく再生制御を行うことを可能とした構成が実現される。
【符号の説明】
【０４１０】
２０  送信装置
２１  放送サーバ
２２  データ配信サーバ
３０  情報処理装置
３１  記録再生装置
３２  ＴＶ
３３  ＰＣ
３４  携帯端末
４０  情報記録媒体（メディア）
４１  ＢＤ
４２  ＨＤＤ
４３  フラッシュメモリ
３００  情報処理装置
３０１  データ入力部
３０２  ユーザ入力部
３０３  制御部
３０４  記憶部
３０５  デマルチプレクサ
３０６  記録データ生成部
３０７  記録部
３０８  ドライブ
３１１  字幕データ生成部
３１２  画像データ生成部
３１３  音声データ生成部
３１４  補助情報生成部
３１５  マルチプレクサ
３１６  補助情報記録データ生成部
３２０  情報記録媒体
４００  情報処理装置
４０１  制御部
４０２  ユーザ入力部
４０３  ドライブ
４０４  記録再生部
４０５  記憶部
４０６  再生処理部
４０７  入出力Ｉ／Ｆ
４１１  デマルチプレクサ
４１２  字幕データ生成部
４１３  画像データ生成部
４１４  音声データ生成部
４１５  補助情報生成部
４１６  出力データ生成部
５１０  情報記録媒体
５２０  出力装置（表示部＋スピーカ）
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2018221292.tif 000003
【図２】
2018221292.tif 000004
【図３】
2018221292.tif 000005
【図４】
2018221292.tif 000006
【図５】
2018221292.tif 000007
【図６】
2018221292.tif 000008
【図７】
2018221292.tif 000009
【図８】
2018221292.tif 000010
【図９】
2018221292.tif 000011
【図１０】
2018221292.tif 000012
【図１１】
2018221292.tif 000013
【図１２】
2018221292.tif 000014
【図１３】
2018221292.tif 000015
【図１４】
2018221292.tif 000016
【図１５】
2018221292.tif 000017
【図１６】
2018221292.tif 000018
【図１７】
2018221292.tif 000019
【図１８】
2018221292.tif 000020
【図１９】
2018221292.tif 000021
【図２０】
2018221292.tif 000022
【図２１】
2018221292.tif 000023
【図２２】
2018221292.tif 000024
【図２３】
2018221292.tif 000025
【図２４】
2018221292.tif 000026
【図２５】
2018221292.tif 000027
【図２６】
2018221292.tif 000028
【図２７】
2018221292.tif 000029
【図２８】
2018221292.tif 000030
【図２９】
2018221292.tif 000031
【図３０】
2018221292.tif 000032
【図３１】
2018221292.tif 000033
【図３２】
2018221292.tif 000034
【図３３】
2018221292.tif 000035
【図３４】
2018221292.tif 000036
【図３５】
2018221292.tif 000037
【図３６】
2018221292.tif 000038
【図３７】
2018221292.tif 000039
【図３８】
2018221292.tif 000040
【図３９】
2018221292.tif 000041
【図４０】
2018221292.tif 000042
【図４１】
2018221292.tif 000043
【図４２】
2018221292.tif 000044
【図４３】
2018221292.tif 000045
【図４４】
2018221292.tif 000046
【図４５】
2018221292.tif 000047
【図４６】
2018221292.tif 000048
【図４７】
2018221292.tif 000049
【国際調査報告】
2018221292.tif 000050
2018221292.tif 000051
2018221292.tif 000052
2018221292.tif 000053